(57)【要約】【課題】  各パッチの配置の乱数性を維持しつつ、視認性及び情報性に優れたテストチャートを生成し、また、そのようなテストチャートを利用して円滑に入出力補正を行う。【解決手段】  文字列からなる特徴量を設定する文字列設定手段１１０と、文字列部の位置情報を設定する文字列部絶対座標設定手段２１０５と、文字列部の色値を所定の色値群の中から抽出してその位置情報にランダムに割り当てる文字列部色値選択手段２１１０と、文字列部を除く非特徴量の位置情報を算出する非特徴量座標算出手段３０４と、非特徴量の色値を、文字列部の位置情報に割り当てた色値を除いた色値群の中から抽出してその位置情報にランダムに割り当てる非特徴量色値設定手段３０５と、文字列部と非特徴量部分とをそれぞれの位置情報にもとづき合成し各位置情報に割り当てられた色値に対応する色のパッチ画像を生成する特徴量・非特徴量データ合成部４０とを備える構成としてある。【選択図】      図１
2010233037.tif 000002
【特許請求の範囲】
【請求項１】
複数のパッチ画像からなるテストチャートを生成し、このテストチャートの実測値にもとづいて入出力特性を補正する画像処理装置であって、
所定の形状からなる特徴量を設定する特徴量設定手段と、
前記特徴量の位置情報を設定する特徴量位置設定手段と、
前記特徴量の色値を、所定の色値群の中から抽出してその位置情報にランダムに割り当てる特徴量色値設定手段と、
前記特徴量の位置情報にもとづき前記特徴量を除く非特徴量の位置情報を設定する非特徴量位置設定手段と、
前記非特徴量の色値を、前記特徴量の位置情報に割り当てた色値を除いた前記色値群の中から抽出してその位置情報にランダムに割り当てる非特徴量色値設定手段と、
前記特徴量と前記非特徴量とをそれぞれの位置情報にもとづき合成し、各位置情報に割り当てられた色値に対応する色のパッチ画像を生成する合成手段と、を備えることを特徴とする画像処理装置。
【請求項２】
前記特徴量は、所定形状からなる主要部と当該主要部を除く非主要部によって構成され、
前記特徴量色値設定手段は、前記主要部の色値を前記色値群に含まれる指定の色値グループの中から抽出してその位置情報にランダムに割り当てるとともに、前記非主要部の色値を前記主要部の位置情報に割り当てた色値以外から抽出してその位置情報にランダムに割り当てる請求項１記載の画像処理装置。
【請求項３】
前記特徴量色値設定手段は、前記主要部の色値を、所定のインク色に属する色値群の中から抽出してその位置情報にランダムに割り当て、前記非主要部の色値を、前記インク色とは異なる他のインク色に属する色値群の中から抽出してその位置情報にランダムに割り当てる請求項２記載の画像処理装置。
【請求項４】
前記特徴量色値設定手段は、前記主要部及び／又は前記非主要部の色値を、前記色値群に属する規定濃度以上の色値グループの中から抽出してその位置情報にランダムに割り当てる請求項２又は３記載の画像処理装置。
【請求項５】
前記特徴量色値設定手段は、前記主要部及び前記非主要部の色値を、前記色値群に属し白色との色差が規定値以下の色値を除く色値グループの中から抽出してその位置情報にランダムに割り当てる請求項２乃至４のいずれか一項記載の画像処理装置。
【請求項６】
前記特徴量色値設定手段は、前記主要部の色値を、前記色値群を濃度値又は明度値の順にもとづき形成される３以上の色値グループのうち連続しない２つの色値グループの一方の色値グループの中から抽出してその位置情報にランダムに割り当てるとともに、前記非主要部の色値を、前記２つの色値グループの他方の色値グループの中から抽出してその位置情報にランダムに割り当てる請求項２乃至５のいずれか一項記載の画像処理装置。
【請求項７】
前記特徴量は、その主要部として一又は二以上の文字及び／又は図形を有する請求項１乃至６のいずれか一項記載の画像処理装置。
【請求項８】
前記特徴量色値設定手段は、単文字又は単図形の色値を、前記色値群を濃度値又は明度値の順にもとづき形成される３以上の色値グループのうち連続しない２つの色値グループの一方の色値グループの中から抽出してその位置情報にランダムに割り当てるとともに、前記単文字又は単図形に隣接する単文字又は単図形の色値を、前記２つの色値グループの他方の色値グループの中から抽出してその位置情報にランダムに割り当てる請求項７記載の画像処理装置。
【請求項９】
前記特徴量色値設定手段は、単文字又は単図形の色値を、前記色値群を濃度値又は明度値の順にもとづき形成される３以上の色値グループのうち連続しない２つの色値グループの一方の色値グループの中から抽出してその位置情報にランダムに割り当てるとともに、
前記非特徴量色値設定手段は、前記単文字又は前記単図形に属する非主要部の色値を、前記２つの色値グループの他方の色値グループの中から抽出してその位置情報にランダムに割り当てる請求項７又は８に記載の画像処理装置。
【請求項１０】
テストチャートの実測値にもとづいて入出力特性を補正するために複数のパッチ画像からなるテストチャートを形成するチャート生成方法であって、
所定の形状からなる特徴量を設定するステップと、
前記特徴量の位置情報を設定するステップと、
前記特徴量の色値を、所定の色値群の中から抽出してその位置情報にランダムに割り当てるステップと、
前記特徴量の位置情報にもとづき前記特徴量を除く非特徴量の位置情報を設定するステップと、
前記非特徴量の色値を、前記特徴量の位置情報に割り当てた色値を除いた前記色値群の中から抽出してその位置情報にランダムに割り当てるステップと、
前記特徴量と前記非特徴量とをそれぞれの位置情報にもとづき合成し、各位置情報に割り当てられた色値に対応する色のパッチ画像を生成する合成手段ステップと、を有することを特徴とするチャート生成方法。
【請求項１１】
画像処理装置が出力するテストチャートの実測値にもとづいてその入出力特性を補正するためのテストチャートであって、
文字列又は図形の形状からなる特徴量の色値を、所定の色値群の中から抽出してその位置情報にランダムに割り当てて形成した当該特徴量部分のパッチ画像と、
前記特徴量を除く非特徴量の色値を、前記特徴量の位置情報に割り当てた色値を除いた色値群の中から抽出してその位置情報にランダムに割り当てて形成した当該非特徴量部分のパッチ画像と、を合成することによって生成することを特徴とするテストチャート。
【請求項１２】
テストチャートの実測値にもとづいて入出力特性を補正するために複数のパッチ画像からなるテストチャートを形成する画像処理装置を構成するコンピュータを、
所定の形状からなる特徴量を設定する手段、
前記特徴量の位置情報を設定する手段、
前記特徴量の色値を、所定の色値群の中から抽出してその位置情報にランダムに割り当てる手段、
前記特徴量の位置情報にもとづき前記特徴量を除く非特徴量の位置情報を設定する手段、
前記非特徴量の色値を、前記特徴量の位置情報に割り当てた色値を除いた前記色値群の中から抽出してその位置情報にランダムに割り当てる手段、
前記特徴量と前記非特徴量とをそれぞれの位置情報にもとづき合成し、各位置情報に割り当てられた色値に対応する色のパッチ画像を生成する手段、
として機能させるためのチャート生成プログラム。
【発明の詳細な説明】
【技術分野】
【０００１】
本発明は、カラー画像処理の入出力補正を行う画像処理装置、チャート生成方法、テストチャート及びチャート生成プログラムに関する。
【背景技術】
【０００２】
従来、カラープリンタ等の画像形成技術の分野では、装置の性能、経年、環境による出力濃度の変化に対応するため、現在の入出力特性を測定した上で出力濃度を設計値に近づけていくキャリブレーション処理が行われている。
例えば、特許文献１には、複数の色値のパッチ画像を予め紙面上に印刷したうえで、そのパッチ画像のトナー濃度をスキャナ等により測定し、設計上の入出力特性と実測した入出力特性との差異にもとづいて出力値を補正する。
しかしながら、同一紙面上に印刷されたパッチ画像は、同一面内においても場所により再現される色が僅かに異なる面内ムラが発生するため、補正の正確さを欠くものとなっていた。
このため、パッチ群の出力の際に同一面内の複数箇所にチャート画像を出力し、これら計測値の平均値などの代表値を得ることによって補正の正規化を行っていた。
【０００３】
図３４は、このような従来のキャリブレーション処理において用いられるチャート画像の例である。
具体的には、あるインク色について、紙白に相当する入力値（０）からインク最大濃度（１）までの間を６４等分した複数色値の各値をさらに複数個用意した後、その色値に対応する各パッチを、画像形成装置の出力範囲内にランダムに配置することによって同図に示すようなチャート画像を得ることができる。
そして、このようなチャート画像の濃度を計測し、その代表値をキャリブレーションに利用していた。
【０００４】
ただし、このような従来の方法では、適確なキャリブレーション処理のために多数パッチを準備する必要があり、チャート画像が複数ページになる傾向となっていた。
また、チャート画像のページが複数になると、ページによってノイズの定常性や周期性が異なる場合があるため、より正確に入出力特性を得るにはさらにチャート画像のページ数を必要とするようになっていた。
このため、利用者は、各チャートの違いを容易に認識することはできず、操作ミスや不適切なキャリブレーション処理の不具合を生じることとなっていた。
また、このようなミスが発生しないようにするため、余計な注意負担がかかり利用者にとって煩わしいものとなっていた。
【０００５】
そこで、このような問題に対し、特許文献２には、色測定の際に各チャートの識別が可能な技術が提案されてある。
特許文献２に開示されてある技術によると、メタデータが埋め込まれたカラーパッチを色測定装置が読み込むことによって、色測定とともにページ番号等の識別情報を認識することができるようになっている。
このため、対象となるチャートが多数の場合であっても、容易に各チャートの概要やインデックス情報を認識することが期待された。
【先行技術文献】
【特許文献】
【０００６】
【特許文献１】特開２００７−２７９３５７号公報
【特許文献２】特開２００６−３３３４７１号公報
【発明の概要】
【発明が解決しようとする課題】
【０００７】
しかしながら、特許文献２に開示されている技術は、あくまで色測定装置が、メタデータの内容を認識できる構成となっており、人間がメタデータの内容を把握できる工夫や構成はまったく開示されておらず、示唆されてもいない。
このため、このような従来の技術では、利用者は、各チャートの違いは勿論のこと、それぞれの目的を一見して識別することはできず、依然、上述の問題解決には至っていなかった。
【０００８】
本発明は、以上のような従来の技術が有する問題を解決するために提案されたものであり、所望の入出力特性を得るために各パッチの配置を最適化するとともに、視認性及び情報性に優れたテストチャートを生成し、また、そのようなテストチャートを利用して円滑に入出力補正を行う画像処理装置、チャート生成方法及びチャート生成プログラムの提供を目的とする。
【課題を解決するための手段】
【０００９】
上記目的を達成するため、本発明の画像処理装置は、複数のパッチ画像からなるテストチャートを生成し、このテストチャートの実測値にもとづいて入出力特性を補正する画像処理装置であって、所定の形状からなる特徴量を設定する特徴量設定手段と、前記特徴量の位置情報を設定する特徴量位置設定手段と、前記特徴量の色値を、所定の色値群の中から抽出してその位置情報にランダムに割り当てる特徴量色値設定手段と、前記特徴量の位置情報にもとづき前記特徴量を除く非特徴量の位置情報を設定する非特徴量位置設定手段と、前記非特徴量の色値を、前記特徴量の位置情報に割り当てた色値を除いた前記色値群の中から抽出してその位置情報にランダムに割り当てる非特徴量色値設定手段と、前記特徴量と前記非特徴量とをそれぞれの位置情報にもとづき合成し、各位置情報に割り当てられた色値に対応する色のパッチ画像を生成する合成手段と、を備えた構成としてある。
【００１０】
また、本発明のチャート生成方法は、テストチャートの実測値にもとづいて入出力特性を補正するために複数のパッチ画像からなるテストチャートを形成するチャート生成方法であって、所定の形状からなる特徴量を設定するステップと、前記特徴量の位置情報を設定するステップと、前記特徴量の色値を、所定の色値群の中から抽出してその位置情報にランダムに割り当てるステップと、前記特徴量の位置情報にもとづき前記特徴量を除く非特徴量の位置情報を設定するステップと、前記非特徴量の色値を、前記特徴量の位置情報に割り当てた色値を除いた前記色値群の中から抽出してその位置情報にランダムに割り当てるステップと、前記特徴量と前記非特徴量とをそれぞれの位置情報にもとづき合成し、各位置情報に割り当てられた色値に対応する色のパッチ画像を生成する合成手段ステップと、を有する方法としてある。
【００１１】
また、本発明のテストチャートは、画像処理装置が出力するテストチャートの実測値にもとづいてその入出力特性を補正するためのテストチャートであって、文字列又は図形の形状からなる特徴量の色値を、所定の色値群の中から抽出してその位置情報にランダムに割り当てて形成した当該特徴量部分のパッチ画像と、前記特徴量を除く非特徴量の色値を、前記特徴量の位置情報に割り当てた色値を除いた色値群の中から抽出してその位置情報にランダムに割り当てて形成した当該非特徴量部分のパッチ画像と、を合成することによって生成することを特徴とするテストチャートである。
【００１２】
また、本発明のチャート生成プログラムは、テストチャートの実測値にもとづいて入出力特性を補正するために複数のパッチ画像からなるテストチャートを形成する画像処理装置を構成するコンピュータを、所定の形状からなる特徴量を設定する手段、前記特徴量の位置情報を設定する手段、前記特徴量の色値を、所定の色値群の中から抽出してその位置情報にランダムに割り当てる手段、前記特徴量の位置情報にもとづき前記特徴量を除く非特徴量の位置情報を設定する手段、前記非特徴量の色値を、前記特徴量の位置情報に割り当てた色値を除いた前記色値群の中から抽出してその位置情報にランダムに割り当てる手段、前記特徴量と前記非特徴量とをそれぞれの位置情報にもとづき合成し、各位置情報に割り当てられた色値に対応する色のパッチ画像を生成する手段、として機能するようにしてある。
【発明の効果】
【００１３】
本発明の画像処理装置、チャート生成方法、テストチャート及びチャート生成プログラムによれば、視認しやすい付加情報を有するテストチャートを生成することができ、適確なキャリブレーション処理を利用することが可能となる。
【図面の簡単な説明】
【００１４】
【図１】本発明の第一実施形態に係る画像処理装置の構成を示したブロック図である。
【図２】本発明の第一実施形態に係る画像処理装置の基本構成設定部の構成を示したブロック図である。
【図３】本実施形態において設定される各ページ内におけるパッチ配置を示した模式図である。
【図４】本発明の第一実施形態に係る画像処理装置の文字列形成部の構成を示したブロック図である。
【図５】本実施形態において設定される特徴量（単文字）の例を示した二次元マトリクス図である。
【図６】本実施形態において設定される特徴量（文字列）の例を示した二次元マトリクス図である。
【図７】インク色ごとに準備した複数階調の色値のインデックスに対し疑似乱数を発生させた様子を示す図表である。
【図８】文字列「ＡＢＣ」の主要部にＣｙａｎに属する複数階調の色値をランダムに割り当てた様子を示す二次元マトリクス図である。
【図９】本発明の第一実施形態に係る画像処理装置の図形形成部の構成を示したブロック図である。
【図１０】本実施形態において設定される特徴量（図形の例を示した二次元マトリクス図である。
【図１１】図形「→」の主要部にＭａｇｅｎｔａに属する複数階調の色値をランダムに割り当てた様子を示す二次元マトリクス図である。
【図１２】本発明の第一実施形態に係る画像処理装置の非特徴量データ形成部の構成を示したブロック図である。
【図１３】非特徴量部分に割り当てる残留色値群の色値のインデックスに対し疑似乱数発生させた様子を示す図表である。
【図１４】本発明の第一実施形態に係る画像処理装置において行われるテストチャートの生成方法の手順を示したフローチャートである。
【図１５】本発明の第一実施形態に係る画像処理装置によって生成されたテストチャート図である。
【図１６】本発明の第二実施形態に係る画像処理装置の基本構成設定部の構成を示したブロック図である。
【図１７】本発明の第二実施形態に係る画像処理装置の文字形成部の構成を示したブロック図である。
【図１８】本発明の第二実施形態に係る画像処理装置の図形形成部の構成を示したブロック図である。
【図１９】本発明の第二実施形態に係る画像処理装置において行われるテストチャートの生成方法の手順を示したフローチャートである。
【図２０】本発明の第二実施形態に係る画像処理装置によって生成されたテストチャート図である。
【図２１】本発明の第三実施形態に係る画像処理装置の基本構成設定部の構成を示したブロック図である。
【図２２】本発明の第三実施形態に係る画像処理装置において行われるテストチャートの生成方法の手順を示したフローチャートである。
【図２３】本発明の第三実施形態に係る画像処理装置によって生成されたテストチャート図である。
【図２４】本発明の第四実施形態に係る画像処理装置の基本構成設定部の構成を示したブロック図である。
【図２５】ＣＭＹＫインクのインク毎の入出力特性の計測値を示したＣＩＥ−Ｌａｂ空間図である。
【図２６】本発明の第四実施形態に係る画像処理装置において行われるテストチャートの生成方法の手順を示したフローチャートである。
【図２７】本発明の第四実施形態に係る画像処理装置によって生成されたテストチャート図である。
【図２８】本発明の第五実施形態に係る画像処理装置の基本構成設定部の構成を示したブロック図である。
【図２９】本発明の第五実施形態に係る画像処理装置によって生成されたテストチャート図である。
【図３０】本発明の第五実施形態に係る画像処理装置によって生成されたテストチャート図である。
【図３１】本発明の第六実施形態に係る画像処理装置の基本構成設定部の構成を示したブロック図である。
【図３２】本発明の第六実施形態に係る画像処理装置において行われるテストチャートの生成方法の手順を示したフローチャートである。
【図３３】本発明の第六実施形態に係る画像処理装置によって生成されたテストチャート図である。
【図３４】従来のキャリブレーション処理において用いられるチャート図ある。
【発明を実施するための形態】
【００１５】
〔第一実施形態〕
まず、本発明の第一実施形態に係る画像処理装置について図１〜図１５を参照しながら説明を行う。
図１は、本発明の第一実施形態に係る画像処理装置の構成を示すブロック図である。
同図に示すとおり、本実施形態の画像処理装置１は、基本構成設定部１０、特徴量データ形成部２０、非特徴量データ形成部３０及び特徴量・非特徴量データ合成部４０によって構成される。
以下、本実施形態の画像処理装置１を構成する各部の詳細説明を行う。
【００１６】
［基本構成設定部１０］
図２は、基本構成設定部１０の詳細な構成を示したブロック図である。
階調数設定手段１０１は、画像処理装置１におけるインクごとの入出力特性（いわゆるガンマカーブ）を把握するために、紙白〜最大濃度における所定間隔ごとの階調数を設定するものである。
例えば、使用するインクがＣＭＹＫであれば、そのうちの１色について、紙白を色値０、最大濃度を色値１とし、０〜１を２Ｍに等分する（以降、Ｍは階調係数と呼ぶ）。
【００１７】
具体的には、Ｃｙａｎインクの入出力特性の測定色値であれば、
｛Ｃｙ［ｉ］，０，０，０｝（但し、０≦ｉ≦１、間隔は１／２Ｍｃ）
Ｍａｇｅｎｔａインクの入出力特性の測定色値であれば、
｛０，Ｍｇ［ｉ］，０，０｝（但し、０≦ｉ≦１、間隔は１／２Ｍｍ）
Ｙｅｌｌｏｗインクの入出力特性の測定色値であれば、
｛０，０，Ｙｅ［ｉ］，０｝（但し、０≦ｉ≦１、間隔は１／２Ｍｙ）
Ｂｌａｃｋインクの入出力特性の測定色値であれば、
｛０，０，０，Ｍｇ［ｉ］｝（但し、０≦ｉ≦１、間隔は１／２Ｍｋ）
と表すことができる。
【００１８】
そして、インク色ごとの階調係数｛Ｍｃ，Ｍｍ，Ｍｙ，Ｍｋ｝＝｛６，６，６，６｝とすると、各インクの階調数｛Ｓｃ，Ｓｍ，Ｓｙ，Ｓｋ｝は、
Ｓｃ＝（２Ｍｃ＋１）＝６５
Ｓｍ＝（２Ｍｍ＋１）＝６５
Ｓｙ＝（２Ｍｙ＋１）＝６５
Ｓｋ＝（２Ｍｋ＋１）＝６５
となる。
なお、インク毎の階調数は、同値でもよく、異なる値であってもよい。すなわち、これらの値は、利用態様に応じて自由に設定することが可能である。
【００１９】
単パッチ測定数設定手段１０２は、各パッチ当たりの測定回数を設定するものであり、言い換えれば、インクごとに同じ階調の各色値のパッチを何個作成するかを設定するものである。
例えば、Ｃｙａｎの入出力特性を測定する際、ＣＭＹＫ値｛Ｃｙ［ｉ］，０，０，０｝の測定値をそれぞれＮｃ個必要と判断するのであれば、利用者の所定操作によってＮｃを入力するとこれに応じた色値数のパッチが準備される。
そして、Ｍａｇｅｎｔａ、Ｙｅｌｌｏｗ、Ｂｌａｃｋにおいても同様にして任意のＮｍ、Ｎｙ、Ｎｋを入力して相応数の色値のパッチを準備する。すなわち、Ｎｃ、Ｎｍ、Ｎｙ、Ｎｋは、同値でもよく異なる値であってもよく、利用態様に応じて自由に設定することが可能である。
なお、この測定回数は、必要な計測精度、出力に含まれるノイズ成分量、演算負荷等を考慮して代表値を算出するのに必要十分な回数を設定することが好ましく、また、出力するメディアのサイズと枚数の制限を考慮することがより好ましい。
【００２０】
使用可能パッチ数計数・記憶手段１０３は、階調数設定手段１０１が設定したインク毎の階調数と、単パッチ測定数設定手段１０２が設定した単パッチの測定回数にもとづき、インクごとに使用可能なパッチ数を算出し、所定の記憶媒体（図示せず）に一時的に記憶しておくものである。
例えば、インク毎の階調係数｛Ｍｃ，Ｍｍ，Ｍｙ，Ｍｋ｝＝｛６，６，６，６｝とし、インク毎の単パッチの測定回数｛Ｎｃ，Ｎｍ，Ｎｙ，Ｎｋ｝＝｛１０，１０，１０，１４｝とした場合、各インクのパッチ数Σｃ、Σｍ、Σｙ、Σｋは、
Σｃ＝（２Ｍｃ＋１）・Ｎｃ＝６５０個
Σｍ＝（２Ｍｍ＋１）・Ｎｍ＝６５０個
Σｙ＝（２Ｍｙ＋１）・Ｎｙ＝６５０個
Σｋ＝（２Ｍｋ＋１）・Ｎｋ＝９１０個
となる。
【００２１】
使用可能色値群生成・記憶手段１０４は、使用可能パッチ数計数・記憶手段１０３によって算出されたパッチ数にもとづきインク色別の使用可能な色値を生成し、所定の記憶媒体（図示せず）に記憶するものである。
【００２２】
パッチ総数演算手段１０５は、テストチャートをなすパッチの総数を求めるものである。
例えば、前述の例の場合、テストチャートを構成するパッチ総数Σａｌｌは、Σｃ＋Σｍ＋Σｙ＋Σｋにより２８６０個となる。
【００２３】
単パッチの形状・サイズ設定手段１０６は、単パッチの形状及びサイズを設定するものである。例えば、「１辺がＬｍｍの正方形」や「直径がＬｍｍの円形」等を設定する。
なお、本実施形態では、すべてのパッチは、同じ形状で描画するようにしている。
【００２４】
メディアサイズ入力手段１０７は、画像処理装置１の入出力特性を測定するメディア（紙など）のサイズ、縦横の長さ等を入力するものである。
例えば、Ａ４、Ａ３、Ｂ４、Ｂ５、レターといった紙サイズ名と紙サイズ情報とを予め対応付けて記憶させておくことにより、利用者は紙サイズ名を入力することによって画像処理装置１は自動的に紙サイズ情報を得る。
また、紙サイズに特別な名称が無い場合等、利用者が直接紙サイズを入力することも可能である。
【００２５】
余白マージン設定手段１０８は、パッチを描画しない紙端部分の長さを設定するものである。
なお、画像処理装置１の固有機能や使用するプリンタ記述言語の都合で、自動的に余白マージンが設定されるような場合には、その設定をクリアしておくことが好ましく、これにより正確な余白マージン設定が可能となる。
【００２６】
各ページ内パッチの縦横数設定手段１０９は、パッチの出力に使うメディアサイズの設定値等を考慮しつつ、単ページ内に描画するパッチの横方向の数と縦方向の数とを設定する。
例えば、単パッチが６ｍｍ辺の正方形で、メディアがＡ４（２１０ｍｍ×２９７ｍｍ）である場合に、１ページ内のパッチの横方向の数を４５個、縦方向の数を３２個に設定すると、図３に示すように１ページ当たりの表示パッチ数は１４４０個となる。
【００２７】
文字列設定手段１１０は、チャート上に表示させる文字列を設定するものである。
例えば、画像処理装置１の機種名、ページ数、チャートの種類、テスト試行回数、パッチの縦横の行列数、メディアサイズ等、任意の文字列を設定する。
【００２８】
文字列インク色設定手段１１１は、チャート上に表示させる文字列のインク色を設定するものである。
例えば、ＣＭＹＫインクにより出力を行う場合にＣｙａｎによって文字列を表示させたい場合には、利用者の所定操作によって「Ｃｙａｎ」と入力すればよい。
また、予め対応付けてあるＩＤ番号を入力することによって所望のインク色を設定することも可能である。
【００２９】
文字間・行間設定手段１１２は、文字列部を構成する各文字の前後左右の幅を設定するものであり、これにより文字列の判読性を高めることができる。
例えば、Ｎ個の文字列を対象とする場合、先頭から（Ｎ−１）個までの文字については、上下及び左に一定幅を設けるため１の単パッチを設定し、最後の１文字については、上下及び右に一定幅を設けるため１の単パッチを設定する。
なお、利用者は、単文字ごとに文字間や行間の幅を任意に変更することも可能である。
【００３０】
図形設定手段１１３は、チャート上に表示させる図形を設定するものである。
例えば、矢印、四角形、コーポレートマークなどのシンボルマーク、文字列の周囲やアンダーラインを示す図形を、手動又は自動により設定する。
また、予め図形名と図形情報とを対応付けて記憶させておき、利用者による図形名の入力に応じて図形情報が読み出されて設定される仕組みであってもよい。
なお、テストチャート上に文字列だけを表示させる場合には図形の設定は不要であり、図形だけを表示させる場合には文字列の設定は不要である。
【００３１】
図形インク色設定手段１１４は、チャート上に表示させる図形のインク色を設定するものである。
例えば、ＣＭＹＫインクにより出力を行う場合にＭａｇｅｎｔａによって図形を表示させたい場合、利用者の所定操作によって「Ｍａｇｅｎｔａ」と入力すればよい。
予め対応付けてあるＩＤ番号を入力することによって所望のインク色を設定することも可能である。
【００３２】
なお、文字列インク色設定手段１１１及び図形インク色設定手段１１４を、特徴量色値設定手段１００と総称する。
【００３３】
［特徴量データ形成部２０］
図１に示すとおり、特徴量データ形成部２０は、文字列形成部２１と図形形成部２２とによって構成される。
以下、文字列形成部２１及び図形形成部２２についてそれぞれ詳細な説明を行う。
【００３４】
［文字列形成部２１］
図４は、文字列形成部２１の詳細な構成を示したブロック図である。
同図に示すように、文字列形成部２１は、文字列読み取り手段２１０１、文字間・行間パッチ設定手段２１０２、文字列部原点設定手段２１０３、文字列部座標抽出手段２１０４、文字列部絶対座標設定手段２１０５、文字列部パッチ数計数手段２１０６、疑似乱数発生手段２１０７、パッチ数適否判定手段２１０８、報知手段２１０９、文字列部色値選択手段２１１０、使用可能色値書換手段２１１１及び文字列部画像形成手段２１１２によって構成される。
【００３５】
文字列読み取り手段２１０１は、基本構成設定部１０において設定された文字列の各文字の文字形状データを順に読み取るものである。
ここで「文字列形状データ」とは、ｖ行×ｈ列からなる文字列部の二次元マトリクスにおいて、各文字の形状部分（「主要部」と定義する。）を塗り分ける情報を付したデータのことをいう。
図５は、５行×４列の二次元マトリクスにおいて、単文字「Ａ」、「Ｂ」、「Ｃ」を文字列形状データによって構成した例を示したものである。
同図に示すように、読み取った文字列は、主要部を「１」とし、それ以外の下地部分（「非主要部」と定義する。）を「０」として各々二値データを設定することにより、「１」の部分を特定のインク色によって表示させる部分と認識させることができる。
【００３６】
文字間・行間パッチ設定手段２１０２は、読み取った文字列に対し、基本構成設定部１０によって設定された文字間・行間の設定値にしたがって文字列部全体の非主要部を設定するものである。
図６は、「ＡＢＣ」からなる文字列に関し、単文字の間や周辺に「０」の二値データが設定された二次元マトリクスの例を示したものである。
【００３７】
文字列部原点設定手段２１０３は、二次元マトリクス上における文字列部の配置基準を設定するものである。
例えば、図６で示した文字列「ＡＢＣ」の場合、文字列部の下部左端を原点として設定することにより、文字列ＡＢＣを含む文字列部全体の座標を得ることができる。
ただし、係る原点は、上記位置に限定されるものではなく、文字列部の他の一頂点、文字列部の中心点（中心点近傍点含む）など任意の特徴点を原点として設定することが可能である。
【００３８】
文字列部座標抽出手段２１０４は、文字列部の座標を抽出するものであり、具体的には、文字列部を構成する主要部と非主要部の相対座標を分離して抽出するものである。
例えば、図６に示す行列マトリクスにおいて下部左端を文字列部原点とした場合、文字列部座標抽出手段２１０４は、主要部（すなわち「１」の部分）のパッチ座標として、｛１，１｝、｛１，４｝、｛１，６｝、｛１，７｝、｛１，８｝、｛１，９｝、｛１，１２｝、｛１，１３｝、｛１，１４｝、｛２，１｝、｛２，２｝、｛２，３｝、｛２，４｝、｛２，６｝、｛２，９｝、｛２，１１｝、｛３，１｝、｛３，４｝、｛３，６｝、｛３，７｝、｛３，８｝、｛３，１１｝、｛４，１｝、｛４，４｝、｛４，６｝、｛４，９｝、｛４，１１｝、｛５，２｝、｛５，３｝、｛５，６｝、｛５，７｝、｛５，８｝、｛５，１２｝、｛５，１３｝、｛５，１４｝を抽出する。
【００３９】
また、同様にして、文字列部座標抽出手段２１０４は、非主要部（すなわち「０」の部分）のパッチ座標として、｛０，０｝、｛０，１｝、｛０，２｝、｛０，３｝、｛０，４｝、｛０，５｝、｛０，６｝、｛０，７｝、｛０，８｝、｛０，９｝、｛０，１０｝、｛０，１１｝、｛０，１２｝、｛０，１３｝、｛０，１４｝、｛０，１５｝、｛１，０｝、｛１，２｝、｛１，３｝、｛１，５｝、｛１，１０｝、｛１，１１｝、｛１，1５｝、｛２，０｝、｛２，５｝、｛２，７｝、｛２，８｝、｛２，１０｝、｛２，１２｝、｛２，１３｝、｛２，１４｝、｛２，１５｝、｛３，０｝、｛３，２｝、｛３，３｝、｛３，５｝、｛３，９｝、｛３，１０｝、｛３，１２｝、｛３，１３｝、｛３，1４｝、｛３，１５｝、｛４，０｝、｛４，２｝、｛４，３｝、｛４，５｝、｛４，７｝、｛４，８｝、｛４，1０｝、｛４，１２｝、｛４，１３｝、｛４，１４｝、｛４，１５｝、｛５，０｝、｛５，１｝、｛５，４｝、｛５，５｝、｛５，９｝、｛５，１０｝、｛５，１１｝、｛５，１５｝、｛６，０｝、｛６，１｝、｛６，２｝、｛６，３｝、｛６，４｝、｛６，５｝、｛６，５｝、｛６，６｝、｛６，７｝、｛６，８｝、｛６，９｝、｛６，１０｝、｛６，１１｝、｛６，１２｝、｛６，１３｝、｛６，１４｝、｛６，１５｝を抽出する。
【００４０】
文字列部絶対座標設定手段２１０５は、文字列部原点に対するページ内の絶対座標値を設定することによって文字列部のページ内における配置を設定するものである。
具体的には、設定した絶対座標値を、文字列部原点からみた相対座標に加算することで、文字列部のページ内の配置を決定する。
なお、文字列部の配置は、単パッチ当たりの長さに換算すれば良いため、距離を設定することによって文字列部の配置を指定することも可能である。
【００４１】
文字列部パッチ数計数手段２１０６は、文字列部を構成する主要部のパッチ数と非主要部のパッチ数を計数するものである。
例えば、図６の行列マトリクスにおける「１」の数は３５と計数され、この文字列部の主要部に必要なパッチ数は３５個と認識することができる。
【００４２】
疑似乱数発生手段２１０７は、対象整数がｎの場合、｛１，２，３，・・・（ｎ−２），（ｎ−１），ｎ｝をシャッフルすることによってランダムな数列を発生させるものである。
例えば、文字列の主要部のパッチ数を対象整数とすることによって、重複のないランダムな疑似乱数数列にもとづく文字列のチャート生成に利用することができる。
なお、疑似乱数は、通常、疑似乱数発生プログラム等の演算処理によって求めるが、このようなプログラムによって求めた乱数を図示しないＲＡＭ等に記憶させておき必要時に読み取るようにしてもよい。
例えば、図７（ａ）に示すように、各インク色ごとに６５階調の色値をパッチ画像として準備した場合、疑似乱数発生手段２１０７を介することで、同図（ｂ）に示すように階調毎の色値はランダムに配置される。
【００４３】
パッチ数適否判定手段２１０８は、文字列部パッチ数計数手段２１０６で求めた文字列部のパッチ数と、文字列部に設定するインク色についての使用可能なパッチ数（色値数）とを比較し、その文字列部にそのインク色の色値が選択可能か否かを数的に判定するものである。
例えば、図６の例において、文字列部の主要部をＹｅｌｌｏｗで表示させたい場合、Ｙｅｌｌｏｗに関しては６５階調の色値が用意されており、また、文字列の主要部の構成に必要なパッチ数は３５個であるので、「選択可能」と判定されることとなる。
すなわち、その部分の構成に必要なパッチ数が、そのインク色について使用可能な色値数よりも少なければ「選択可能」と判定され、その逆は「選択不可能」と判定される。
【００４４】
報知手段２１０９は、パッチ数適否判定手段２１０８による判定の結果、選択不可能と判定された場合、その旨を利用者に警告するものである。
これにより、階調数、インク色、文字列の構成などのパラメータ変更を利用者に促すことができる。
また、係る判定の結果、選択可能と判定された場合、文字列部色値選択手段２１１０による色値選択が行われる。
【００４５】
文字列部色値選択手段２１１０は、文字列部に割り当てるパッチの色値を選択するものである。
具体的には、疑似乱数発生手段２１０７によって得た疑似乱数数列をインデックスにすることによって文字列インク色設定手段１１１が設定したインク色の色値群の中から主要部又は非主要部に割り当てるパッチの色値をランダムに選択する。
なお、本実施形態のように、主要部以外の部分をすべて非特徴量部分とみなし、後述する非特徴量データ形成部３０によって係る部分の色値を設定しても良い。
また、疑似乱数発生手段２１０７で求めた疑似乱数数列と、文字列部に割り当てるパッチの色値群を構成する色値を順に１データずつ取り出して組み合わせ、これら組み合わせデータを昇順又は降順にソートして選択するようにしてもよい。
例えば、図８は、文字列「ＡＢＣ」についてその主要部にＣｙａｎに属する複数階調の色値をランダムに割り当てた様子を示している。
同図に示すように、文字列部の主要部について、Ｃｙａｎに属する複数の階調の色値がランダムに配置されるため、文字列の視認性と乱数性をともに実現することができる。
【００４６】
使用可能色値書換手段２１１１は、文字列部に選択されなかった未使用の色値にもとづき、所定の記憶媒体に記憶されている使用可能色値群及び使用可能パッチ数を書き換えるものである。
また、疑似乱数発生手段２１０７から得られた非重複の疑似乱数数列を、既にパッチに使用された既使用部分と、未使用部分とに分けて管理し、既使用部分、未使用部分を更新する構成であっても良い。
なお、未使用の色値は、後述する図形部分や非特徴量部分に使用されるため、予めその色値や数を求めておくものである。
【００４７】
文字列部画像形成手段２１１２は、単パッチ形状情報、座標情報及び色値情報にもとづき文字列部のパッチ画像データを形成するものである。
【００４８】
［図形形成部２２］
図９は、図形形成部２２の詳細な構成を示したブロック図である。
同図に示すように、図形形成部２２は、図形読み取り手段２２０１、図形部原点設定手段２２０２、図形部座標抽出手段２２０３、図形部絶対座標設定手段２２０４、図形部パッチ数計数手段２２０５、疑似乱数発生手段２２０６、パッチ数適否判定手段２２０７、報知手段２２０８、図形部色値選択手段２２０９、使用可能色値書換手段２２１０及び図形部画像形成手段２２１１によって構成される。
【００４９】
図形読み取り手段２２０１は、基本構成設定部１０において設定された図形の図形形状データを順に読み取るものである。
例えば、「図形形状データ」とは、ｖ行×ｈ列からなる図形の二次元マトリクスにおいて、当該図形の形状部分（主要部）を塗り分ける情報を付したデータのことをいう。
図１０は、１１行×１２列の二次元マトリクスにおいて、図形「→」を図形形状データによって構成した例を示したものである。
同図に示すように、読み取った図形は、主要部を「１」とし、それ以外の下地部分（非主要部）を「０」として各々二値データを設定することにより、「１」の部分を特定のインク色によって表示させる部分として認識させることができる。
【００５０】
図形部原点設定手段２２０２は、二次元マトリクス上における図形部の配置基準を設定するものである。
例えば、図１０で示した図形「→」の場合、図形部の下部左端を原点として設定することにより、図形「→」を含む図形部全体の座標を得ることができる。
ただし、係る原点は、上記位置に限定されるものではなく、図形部の最大矩形領域の一頂点、中心点（中心点近傍点含む）など任意の特徴点を原点として設定することが可能である。
【００５１】
図形部座標抽出手段２２０３は、図形部の座標を抽出するものであり、具体的には、図形部を構成する主要部と非主要部の相対座標を分離して抽出するものである。
例えば、図１０に示す二次元マトリクスにおいて下部左端を図形部原点とした場合、図形部座標抽出手段２２０３は、主要部（すなわち「１」の部分）のパッチ座標として、｛１，５｝、｛１，６｝、｛２，５｝、｛２，７｝、｛３，１｝、｛３，２｝、｛３，３｝、｛３，４｝、｛３，５｝、｛３，８｝、｛４，１｝、｛４，９｝、｛５，１｝、｛５，１０｝、｛６，１｝、｛６，９｝、｛７，１｝、｛７，２｝、｛７，３｝、｛７，４｝、｛７，５｝、｛７，８｝、｛８，５｝、｛８，７｝、｛９，５｝、｛９，６｝を抽出する。
【００５２】
また、同様にして、図形部座標抽出手段２２０３は、非主要部（すなわち「０」の部分）のパッチ座標として、｛０，０｝、｛０，１｝、｛０，２｝、｛０，３｝、｛０，４｝、｛０，５｝、｛０，６｝、｛０，７｝、｛０，８｝、｛０，９｝、｛０，１０｝、｛０，１１｝、｛１，０｝、｛１，１｝、｛１，２｝、｛１，３｝、｛１，４｝、｛１，７｝、｛１，８｝、｛１，９｝、｛１，１０｝、｛１，１１｝、｛２，０｝、｛２，１｝、｛２，２｝、｛２，３｝、｛２，４｝、｛２，６｝、｛２，８｝、｛２，９｝、｛２，１０｝、｛２，１１｝、｛３，０｝、｛３，６｝、｛３，７｝、｛３，９｝、｛３，１０｝、｛３，１１｝、｛４，０｝、｛４，２｝、｛４，３｝、｛４，４｝、｛４，５｝、｛４，６｝、｛４，７｝、｛４，８｝、｛４，１０｝、｛４，１１｝、｛５，０｝、｛５，２｝、｛５，３｝、｛５，４｝、｛５，５｝、｛５，６｝、｛５，７｝、｛５，８｝、｛５，９｝、｛５，１１｝、｛６，０｝、｛６，２｝、｛６，３｝、｛６，４｝、｛６，５｝、｛６，６｝、｛６，７｝、｛６，８｝、｛６，１０｝、｛６，１１｝、｛７，０｝、｛７，６｝、｛７，７｝、｛７，９｝、｛７，１０｝、｛７，１１｝、｛８，０｝、｛８，１｝、｛８，２｝、｛８，３｝、｛８，４｝、｛８，６｝、｛８，８｝、｛８，９｝、｛８，１０｝、｛８，１１｝、｛９，０｝、｛９，０｝、｛９，１｝、｛９，２｝、｛９，３｝、｛９，４｝、｛９，７｝、｛９，８｝、｛９，９｝、｛９，１０｝、｛９，１１｝、｛１０，０｝、｛１０，１｝、｛１０，３｝、｛１０，４｝、｛１０，５｝、｛１０，６｝、｛１０，７｝、｛１０，８｝、｛１０，９｝、｛１０，１０｝、｛１０，１１｝を抽出する。
【００５３】
図形部絶対座標設定手段２２０４は、図形部原点に対応するページ内の絶対座標値を設定することによって図形部のページ内における配置を設定するものである。
具体的には、設定した絶対座標値を、図形部原点からみた相対座標に加算することで、図形部のページ内の配置を決定する。
なお、図形部の配置は、単パッチ当たりの長さに換算すれば良いため、距離を設定することによって図形部の配置を指定することも可能である。
【００５４】
図形部パッチ数計数手段２２０５は、図形部を構成する主要部のパッチ数と非主要部のパッチ数を計数するものである。
例えば、図１０の行列マトリクスにおける「１」の数は２６と計数され、この図形部の主要部に必要なパッチ数は２６個と認識することができる。
【００５５】
疑似乱数発生手段２２０６は、対象整数がｎの場合、｛１，２，３，・・・（ｎ−２），（ｎ−１），ｎ｝をシャッフルすることによってランダムな数列を発生させるものである。
例えば、図形の主要部のパッチ数を対象整数とすることによって、重複のないランダムな疑似乱数数列にもとづく図形のチャート生成に利用することができる。
なお、疑似乱数は、通常、疑似乱数発生プログラム等の演算処理によって求めるが、このようなプログラムによって求めた乱数を図示しないＲＡＭ等に記憶させておき必要時に読み取るようにしてもよい。
例えば、図７（ａ）に示すように、各インク色ごとに６５階調の色値をパッチ画像として準備する場合、疑似乱数発生手段２２０６を介することで、同図（ｂ）に示すように階調毎の色値はランダムに配置される。
【００５６】
パッチ数適否判定手段２２０７は、図形部パッチ数計数手段２２０５で求めた図形部のパッチ数と、図形部に設定するインク色についての使用可能なパッチ数（色値数）とを比較し、その図形部にそのインク色の色値が選択可能か否かを数的に判定するものである。
例えば、図１０の例において、図形部の主要部をＭａｇｅｎｔａで表示させたい場合、Ｍａｇｅｎｔａに関しては６５階調の色値が用意されており、また、図形部の主要部の構成に必要なパッチ数は２６個であるので、「選択可能」と判定されることとなる。
すなわち、その部分の構成に必要なパッチ数が、そのインク色について使用可能な色値数よりも少なければ「選択可能」と判定され、その逆は「選択不可能」と判定される。
【００５７】
報知手段２２０８は、パッチ数適否判定手段２２０７による判定の結果、選択不可能と判定された場合、その旨を利用者に警告するものである。
これにより、階調数、インク色、図形の構成などのパラメータ変更を利用者に促すことができる。
また、係る判定の結果、選択可能と判定された場合、図形部色値選択手段２２０９による色値選択が行われる。
【００５８】
図形部色値選択手段２２０９は、図形部に割り当てるパッチの色値を選択するものである。
具体的には、疑似乱数発生手段２２０６によって得た疑似乱数数列をインデックスにすることによって図形インク色設定手段１１４が設定したインク色の色値群の中から主要部又は非主要部に割り当てるパッチの色値をランダムに選択する。
なお、本実施形態のように、主要部以外の部分をすべて非特徴量部分とみなし、後述する非特徴量データ形成部３０によって係る色値を設定してもよい。
また、疑似乱数発生手段２２０６で求めた疑似乱数数列と、図形部に割り当てるインク色の色値群を構成する色値を順に１データずつ取り出して組み合わせ、これら組み合わせデータを昇順又は降順にソートして選択するようにしてもよい。
例えば、図１１は、図形「→」についてその主要部にＭａｇｅｎｔａに属する複数階調の色値をランダムに割り当てた様子を示している。
同図に示すように、図形部の主要部について、Ｍａｇｅｎｔａに属する複数の階調の色値がランダムに配置されるため、図形の視認性と乱数性をともに実現することができる。
【００５９】
使用可能色値書換手段２２１０は、図形部に選択されなかった未使用の色値にもとづき、所定の記憶媒体に記憶されている使用可能色値群及び使用可能パッチ数を書き換えるものである。
また、疑似乱数発生手段２２０６から得られた非重複の疑似乱数数列を、既にパッチに使用された既使用部分と、未使用部分とに分けて管理し、既使用部分、未使用部分を更新する構成であっても良い。
なお、未使用の色値は、後述する非特徴量部分に使用されるため、予めその色値や数を求めておくものである。
【００６０】
図形部画像形成手段２２１１は、単パッチ形状情報、座標情報及び色値情報にもとづき図形部のパッチ画像データを形成する。
【００６１】
［非特徴量データ形成部３０］
図１２は、非特徴量データ形成部３０の詳細な構成を示したブロック図である。
同図に示すように、非特徴量データ形成部３０は、使用可能色値群算出手段３０１、残留色値群合算手段３０２、疑似乱数発生手段３０３、非特徴量座標算出手段３０４、非特徴量色値設定手段３０５、非特徴量画像形成手段３０６、端数部パッチ数算出手段３０７、端数部パッチ色値設定手段３０８及び端数部パッチ画像形成手段３０９を備えている。
【００６２】
使用可能色値群算出手段３０１は、文字列部及び図形部、すなわち特徴量部分に使用されなかった色値群をインク色ごとに算出するものである。
また、本実施形態のように、主要部に使用されなかった色値群をインクごとに算出するようにしてもよい。
具体的には、文字列形成部２１における使用可能色値書換手段２１１１及び図形形成部２２における使用可能色値書換手段２２１０からの使用可能データを引用して求める。
残留色値群合算手段３０２は、インク色ごとの使用可能な色値群を合算することによって、インク色を問わず非主要部に設定しうるすべての色値（残留色値群）を求めるものである。
【００６３】
疑似乱数発生手段３０３は、対象整数がｎの場合、｛１，２，３，・・・（ｎ−２），（ｎ−１），ｎ｝をシャッフルすることによってランダムな数列を発生させるものである。
ここでは、非特徴量部分に割り当てる色値のパッチ数を対象整数とすることによって、重複のないランダムな疑似乱数数列にもとづく非主要部のチャート作成に利用することができる。
なお、疑似乱数は、通常、疑似乱数発生プログラム等の演算処理によって求めるが、このようなプログラムによって求めた乱数をＲＡＭ等に記憶させておき必要時に読み取るようにしてもよい。
【００６４】
非特徴量座標算出手段３０４は、非特徴量部分の座標を求めるものである。
具体的には、特徴量部分の絶対座標情報とチャート内パッチ数の縦横のサイズにもとづき非特徴量部分の絶対座標をもとめることができる。
【００６５】
非特徴量色値設定手段３０５は、非特徴量部分に割り当てる各パッチの色値を設定するものである。
具体的には、疑似乱数発生手段３０３によって得た疑似乱数数列をインデックスにすることによって、残留色値群の中から非特徴量部分に割り当てるパッチの色値をランダムに設定する。
例えば、図８に示す文字列や図１１に示す文字列をともに特徴量として用いられた場合、残留色値群は図１３（ａ）における網掛け部分となる。
この部分のインデックスをすべて疑似乱数処理することによって図１３（ｂ）の矢印の順に残留色値が配置され、これらを順に非特徴量部分に割り当てることによって色値をランダムに割り当てることができる。
なお、同図（ｂ）において、ｃ＊＊はＣｙａｎ、ｍ＊＊はＭａｇｅｎｔａ、ｙ＊＊はＹｅｌｌｏｗ、ｋ＊＊はＢｌａｃｋの各インク色に属する階調値を表すものである。
非特徴量画像形成手段３０６は、単パッチ形状情報、座標情報及び色値情報にもとづき非特徴量部分のパッチ画像データを形成する。
【００６６】
端数部パッチ数算出手段３０７は、各ページのパッチの縦横サイズにより決まる各ページに配置できるパッチ数と実際に各ページに配置するパッチ数との差分を算出するものである。
端数部パッチ色値設定手段３０８は、端数部に割り当てるパッチの色値を設定するものであり、具体的には、非特徴量部分の色値を設定した後の残留色値群を用いて端数部に割り当てるパッチの色値を設定する。
そして、端数部パッチ画像形成手段３０９は、単パッチ形状情報、座標情報及び色値情報にもとづき端数部のパッチ画像データを形成する。
【００６７】
例えば、各ページのパッチ個数を横方向に４５個、縦方向に３２個とした場合、各ページには４５×３２＝１４４０個のパッチが表示可能となる。
そして、１ページあたりに配置するパッチ数を、Ｃｙａｎ，Ｍａｇｅｎｔａ，Ｙｅｌｌｏｗに関しては６５階調を５回分、Ｂｌａｃｋに関しては６５階調を７回分、とすると、パッチ総数は６５×５×３＋６５×７＝１４３０となるため１４４０−１４３０＝１０個分の端数が生ずることとなる。
そこで、本実施形態に係る画像処理装置１では、この端数部分に相当する領域に、メタ情報を含むパッチ画像データを埋め込むことができる。これにより、チャートの情報性をさらに高めることができる。
勿論、端数部分に対してＣＭＹＫ値｛０，０，０，０｝を設定することによって白表示するようにしても良く、任意のＣＭＹＫ値を設定して白以外の色値を設定することもできる。
また、次ページのパッチを前ページに詰めて表示させ、最終ページで端数分を調整することも可能である。
なお、計測器のアパーチャサイズ、画像処理装置の出力範囲、余白マージン、出力メディアサイズ等の都合によって各種設定値を調整することが望ましい。
【００６８】
［特徴量・非特徴量データ合成部４０］
図１に示すように、特徴量・非特徴量データ合成部４０は、特徴量データ形成部２０によって形成された特徴量部分のパッチ画像データと、非特徴量データ形成部３０によって形成された非特徴量部分のパッチ画像データ（端数部分のパッチ画像データ含む）とを合成するものであり、合成によって形成された画像データにもとづきテストチャートの出力が行われる。
なお、合成した画像をディスプレイ等に表示させることによって、出力の前に、予め文字列や図形の判別性を確認することも可能である。
【００６９】
次に、このような構成からなる本実施形態に係る画像処理装置によるチャート生成方法について図面を参照しながら詳細に説明を行う。
図１４は、本実施形態に係るチャート生成方法の手順を示すフローチャートである。
同図に示すように、まず、基本構成設定部１０が、テストチャート生成の前処理として、使用する色値群の準備やチャート構成の設定等を行う（Ｓ１）。
具体的には、階調数設定手段１０１がインク毎に階調数を設定し、使用可能色値群生成・記憶手段１０４が、その階調数にもとづき使用可能な色値群をインク別に生成し、記憶する。
また、テストチャートの構成を設定するため、単パッチのサイズ・形状、数、配列等について設定を行う。
【００７０】
続いて、基本構成設定部１０は、テストチャート上に表示させる文字列や図形の設定を行う（Ｓ２）。
具体的には、文字列設定手段１１０や図形設定手段１１３が、文字列や図形の構成を設定し、文字列インク色設定手段１１１や図形インク色設定手段１１４が、文字列や図形に割り当てるパッチのインク色を設定する。
【００７１】
次に、本実施形態に係る画像処理装置１は、特徴量部分のパッチ画像の形成を行う（Ｓ３）。
具体的には、基本構成設定部１０によって設定された文字列・図形に対し、文字列部色値選択手段２１１０又は図形部色値選択手段２２０９がその指定インク色に属し異なる階調からなる複数の色値をランダムに選択して割り当てるとともに、文字列部絶対座標設定手段２１０５又は図形部絶対座標設定手段２２０４がページ上における特徴量部分の配置設定を行い、文字列部画像形成手段２１１２又は図形部画像形成手段２２１１が、特徴量部分のパッチ画像データの形成を行う。
なお、特徴量部分は、文字列部のみ、図形部のみ若しくは文字列部と図形部の組み合わせでもよく、複数文字列や複数図形であっても良い。
【００７２】
次いで、非特徴量データ形成部３０が、非特徴量部分のパッチ画像の形成を行う（Ｓ４）。
具体的には、非特徴量色値設定手段３０５が非特徴量部分に対し特徴量部分に割り当てた色値以外の色値群の中からランダムに色値を抽出して対応するパッチに割り当て、非特徴量画像形成手段３０６が非特徴量部分のパッチ画像データを生成する。
【００７３】
次に、特徴量・非特徴量データ合成部４０は、特徴量部分のパッチ画像と非特徴量部分のパッチ画像とを合成する（Ｓ５）。
具体的には、特徴量・非特徴量データ合成部４０が、特徴量部分のパッチ画像データと非特徴量部分のパッチ画像データをそれぞれの絶対座標にもとづき組み合わせることによって２次元マトリクス上に理論上のテストチャートデータを形成する。
そして、画像処理装置１は、ステップＳ５において合成されたテストチャートデータにもとづき実際のテストチャートを紙等のメディアに出力する（Ｓ６）。
これにより、図１５に示すように、視認可能な情報（この場合は文字列）が付されたカラーのテストチャートを得ることができる。
なお、同図（ａ）は、文字列「０１２」に係る特徴量を、同図（ｂ）は文字列「１２３」に係る特徴量を設定した例を示したチャート図である。
【００７４】
以上説明したように、本発明の第一実施形態に係る画像処理装置１によれば、入出力特性の分析に必要なテストチャートを一定の乱数性及び規則性をもって生成できるようにしている。
特に、本実施形態に係る画像処理装置は、テストチャート上に文字列や図形からなる視認可能な特徴量部分を設定するようにしているため、識別性及び情報性に優れたテストチャートを生成することができる。
このため、利用者にとって取り扱いし易いテストチャートを得ることができ、入出力特性の分析やキャリブレーション処理に関する利便性の向上や信頼性の維持を実現することができる。
【００７５】
〔第二実施形態〕
次に、本発明の第二実施形態に係る画像処理装置について図１６〜図２０を参照しながら説明を行う。
本実施形態に係る画像処理装置は、テストチャートの生成過程において、文字列や図形（主要部）に割り当てるパッチのインク色と、文字列や図形の下地（非主要部）に割り当てるパッチのインク色とを異なる色に設定することによって、テストチャート上に表示する文字列や図形の視認性を向上させるようにしている。
そして、このような特徴的な作用効果を得るため、本実施形態に係る画像処理装置は、基本構成設定部、文字列形成部及び図形形成部に構成上の工夫を施している。
【００７６】
［基本構成設定部１０ａ］
図１６は、本実施形態に係る基本構成設定部１０ａの詳細な構成を示したブロック図である。
同図に示すように、本実施形態の基本構成設定部１０ａは、図２とほぼ同じ構成であるが、特徴量色値設定手段１００ａの構成が図２と異なる。
すなわち、本実施形態に係る特徴量色値設定手段１００ａは、文字列（主要部）インク色設定手段１１５及び文字列（非主要部）インク色設定手段１１６、並びに、図形（主要部）インク色設定手段１１７及び図形（非主要部）インク色設定手段１１８を備える点で第一実施形態とは異なる。
したがって、ここでは、主に、特徴量色値設定手段１００ａについての詳細な説明を行い、図２と同様の構成部分については同一の符号を付してその詳細な説明を省略する。
【００７７】
文字列（主要部）インク色設定手段１１５は、文字列部の主要部に割り当てるパッチのインク色を設定するものである。
また、文字列（非主要部）インク色設定手段１１６は、文字列部の非主要部（下地や周辺部分）に割り当てるパッチのインク色を設定するものである。
特に、本実施形態においては、主要部に設定したインク色とは異なるインク色に設定することを特徴としている。
例えば、文字列（主要部）インク色設定手段１１５によって主要部のインク色がＹｅｌｌｏｗで設定された場合、文字列（非主要部）インク色設定手段１１６は、非主要部のインク色をＢｌａｃｋで設定することとしている。
【００７８】
図形（主要部）インク色設定手段１１７は、図形部の主要部に割り当てるインク色を設定するものである。
また、図形（非主要部）インク色設定手段１１８は、図形部の非主要部（下地や周辺部分）に割り当てるパッチのインク色を設定するものである。
特に、本実施形態においては、主要部に設定したインク色とは異なるインク色に設定することを特徴としている。
例えば、図形（主要部）インク色設定手段１１７によって主要部のインク色がＭａｇｅｎｔａで設定された場合、図形（非主要部）インク色設定手段１１８は、非主要部のインク色をＣｙａｎに自動的に設定するようにする。
【００７９】
［文字列形成部２１ａ］
図１７は、本実施形態に係る文字列形成部の構成を示したブロック図である。
同図に示すように、本実施形態の文字列形成部２１ａは、図４とほぼ同じ構成であるが、文字列（主要部）色値選択手段２１１３及び文字列（非主要部）色値選択手段２１１４を備える点において第一実施形態とは異なる。
したがって、文字列形成部に関しては、これら異なる構成部分について詳細な説明を行うものとし、図４と同様の構成部分については同一の符号を付してその説明を省略する。
【００８０】
文字列（主要部）色値選択手段２１１３は、文字列部の主要部の色値を、指定インク色に属する異なる階調の色値の中からランダムに選択するものである。
また、文字列（非主要部）色値選択手段２１１４は、文字列部の非主要部の色値を、主要部の色として指定したインク色とは異なる他のインク色に属する異なる階調の色値の中からランダムに選択するものである。
具体的には、指定インク色に属する異なる階調の複数の色値の中から疑似乱数数列をインデックスとして抽出した色値を主要部の色値として選択するとともに、文字列用に指定したインク色とは異なる他のインク色に属する異なる階調の色値の中から同じく疑似乱数数列をインデックスとして抽出した色値を非主要部の色値として選択する処理を行う。
例えば、主要部には、Ｙｅｌｌｏｗに属する複数階調の色値が選択され、非主要部には、Ｂｌａｃｋに属する複数階調の色値が選択される。
【００８１】
［図形形成部２２ａ］
図１８は、本実施形態に係る図形形成部の構成を示したブロック図である。
同図に示すように、本実施形態の図形形成部２２ａは、図９とほぼ同じ構成であるが、図形（主要部）色値選択手段２２１２及び図形（非主要部）色値選択手段２２１３を備える点において第一実施形態とは異なる。
したがって、図形形成部に関しては、これら異なる構成部分について詳細な説明を行うものとし、図９と同様の構成部分については同一の符号を付してその説明を省略する。
【００８２】
図形（主要部）色値選択手段２２１２は、図形の主要部の色値を、指定インク色に属する異なる階調の色値の中からランダムに選択するものである。
また、図形（非主要部）色値選択手段２２１３は、図形部の非主要部の色値を、主要部の色として指定したインク色とは異なる他のインク色に属する異なる階調の色値の中からランダムに選択するものである。
具体的には、指定インク色に属する異なる階調の色値の中から疑似乱数数列をインデックスとして抽出した色値を主要部の色値として選択するとともに、主要部に指定したインク色とは異なる他のインク色に属する異なる階調の色値の中から同じく疑似乱数数列をインデックスとして抽出した色値を非主要部の色値として選択する処理を行う。
例えば、主要部には、Ｍａｇｅｎｔａに属する複数階調の色値がランダムに選択され、非主要部には、Ｃｙａｎに属する複数階調の色値がランダムに選択される。
【００８３】
すなわち、以上のような構成の画像処理装置によれば、主要部に割り当てるパッチの色値と、非主要部に割り当てるパッチの色値とを、それぞれ異なるインク色に属する色値によって生成するようにしている。
【００８４】
次に、このような構成からなる本実施形態の画像処理装置によるチャート生成方法について図面を参照しながら説明を行う。
図１９は、本実施形態に係るチャート生成方法の手順を示すフローチャートである。
同図に示すように、まず、基本構成設定部１０ａが、テストチャート生成の前処理として、使用する色値群の準備やチャート構成の設定等を行う（Ｓ１１）。
具体的には、階調数設定手段１０１が、インク色毎の階調数を設定し、使用可能色値群生成・記憶手段１０４が、その階調数にもとづき使用可能な色値群をインク別に生成し、記憶する。
また、テストチャートの構成を設定するため、単パッチのサイズ・形状、数、配列等について設定を行う。
【００８５】
続いて、基本構成設定部１０ａが、テストチャート上に表示させる文字列や図形の設定を行う（Ｓ１２）。
具体的には、文字列設定手段１１０や図形設定手段１１３が、文字列や図形の構成を設定し、文字列インク色設定手段１１１や図形インク色設定手段１１４が、文字列や図形に割り当てるパッチのインク色を設定する。
【００８６】
次に、本実施形態に係る画像処理装置１は、特徴量部分のパッチ画像の形成を行う（Ｓ１３）。
特に、本実施形態においては、主要部に割り当てるパッチに対し所定のインク色を設定するとともに、非主要部に割り当てるパッチに対しては主要部のインク色とは異なるインク色を設定するようにしている。
【００８７】
具体的には、文字列（主要部）インク色設定手段１１５又は図形（主要部）インク色設定手段１１７が指定した主要部のインク色にもとづき、文字列（主要部）色値選択手段２１１３又は図形（主要部）色値選択手段２２１２が、その指定インク色に属する色値を、予め用意されている使用可能な複数階調の色値の中からランダムに抽出し、主要部に割り当てる処理を行う。
その上で、文字列（非主要部）インク色設定手段１１６又は図形（非主要部）インク色設定手段１１８が指定した主要部に設定したインク色とは異なるインク色にもとづき、文字列（非主要部）色値選択手段２１１４又は図形（非主要部）色値選択手段２２１３が、そのインク色に属する色値を、予め用意されている使用可能な複数階調の色値の中からランダムに抽出し、非主要部に割り当てる処理を行う。
【００８８】
次いで、非特徴量データ形成部３０は、非特徴量部分のパッチ画像の形成を行う（Ｓ１４）。
具体的には、非特徴量色値設定手段３０５が、非特徴量部分に対し、特徴量部分に割り当てた色値以外の色値群の中からランダムに色値を抽出して対応するパッチに割り当て、非特徴量画像形成手段３０６が非特徴量部分のパッチ画像データを生成する。
【００８９】
次に、特徴量・非特徴量データ合成部４０は、特徴量部分のパッチ画像と非特徴量部分のパッチ画像とを合成する（Ｓ１５）。
具体的には、特徴量・非特徴量データ合成部４０が、特徴量部分のパッチ画像データと非特徴量部分のパッチ画像データをそれぞれの絶対座標にもとづき組み合わせることによって２次元マトリクス上に理論上のテストチャートデータを形成する。
そして、画像処理装置１は、ステップＳ１５において合成されたテストチャートデータにもとづき実際のテストチャートを紙等のメディアに出力する（Ｓ１６）。
これにより、図２０に示すように、視認可能な情報（この場合は文字列）が付されたカラーのテストチャートを得ることができる。
なお、同図（ａ）は、文字列「ＴＥＳＴ−１」に係る特徴量を、同図（ｂ）は文字列「ＴＥＳＴ−２」に係る特徴量を含むテストチャートを示したカラーチャート図である。
【００９０】
以上説明したように、本発明の第二実施形態に係る画像処理装置１によれば、主要部の色値と非主要部の色値とを、相互に異なるインク色に属する色値によって設定してテストチャートを生成するようにしている。
このため、識別性及び情報性に優れることは勿論のこと、より視認性に優れたテストチャートを生成することが可能となる。
したがって、入出力特性の分析やキャリブレーション処理に際し、より利便性や信頼性を向上させることができる。
【００９１】
［第三実施形態］
次に、本発明の第三実施形態に係る画像処理装置について図２１〜図２７を参照しつつ説明する。
本実施形態に係る画像処理装置は、テストチャートの生成過程において、文字列又は図形の下地（非主要部）に割り当てるパッチのインク色を、文字列又は図形の主要部に割り当てるパッチのインク色と異なる色に設定する点においては、前述の第二実施形態と同様である。
ただし、本実施形態に係る画像処理装置は、特徴量部分、すなわち、主要部及び／又は非主要部対し一定の濃度以上の色値のパッチを割り当ててテストチャートを生成することによってテストチャート上に表示する特徴量の視認性を向上させている。
そして、このような特徴的な作用効果を得るため、本実施形態に係る画像処理装置は、主に、基本構成設定部の特徴量色値設定手段に構成上の工夫を施している。
【００９２】
［基本構成設定部１０ｂ］
図２１は、本実施形態に係る基本構成設定部１０ｂの構成を示したブロック図である。
同図に示すように、本実施形態の基本構成設定部１０ｂは、図１６とほぼ同じ構成であるが、特徴量色値設定手段１００ｂの構成が異なる。
すなわち、本実施形態に係る特徴量色値設定手段１００ｂは、特徴量色値域設定手段１１９、特徴量使用可能色値群生成・記憶手段１２０及び特徴量使用可能パッチ総数計数・記憶手段１２１を備える点で第二実施形態とは異なる。
したがって、ここでは、主に特徴量色値設定手段１００ｂについての詳細な説明を行い、図１６と同様の構成部分については同一の符号を付してその説明を省略する。
【００９３】
特徴量色値域設定手段１１９は、特徴量部分に割り当てるパッチの色値の範囲を設定するものである。
例えば、インク色ごとの濃度設定値Ｔを、｛Ｔｃ，Ｔｍ，Ｔｙ，Ｔｋ｝＝｛１５，１５，１５，１５｝として設定する。
この場合、インク色ごとの階調数が｛Ｓｃ，Ｓｍ，Ｓｙ，Ｓｋ｝＝｛６５，６５，６５，６５｝であるとすると、色値の濃度値の低い方から１５個までを除く各５０個の色値群が使用可能な色値域として設定される。
【００９４】
特徴量使用可能色値群生成・記憶手段１２０は、特徴量部分に関するインク色ごとの使用可能な色値群を生成し、所定の記憶媒体（図示せず）に記憶するものである。
例えば、インク色ごとの階調数を｛Ｓｃ，Ｓｍ，Ｓｙ，Ｓｋ｝＝｛６５，６５，６５，６５｝とした場合に、濃度設定値Ｔを｛Ｔｃ，Ｔｍ，Ｔｙ，Ｔｋ｝＝｛１５，１５，１５，１５｝と設定したときには、色値の濃度値の低い方から１５個までを除く各５０個の色値群が使用可能な色値群として生成される。
【００９５】
特徴量使用可能パッチ総数計数・記憶手段１２１は、特徴量部分に使用可能な色値群にもとづき、特徴量部分に使用可能なパッチ数を求め、所定の記憶媒体（図示せず）に記憶するものである。
例えば、インク色ごとの階調係数｛Ｍｃ，Ｍｍ，Ｍｙ，Ｍｋ｝＝｛６，６，６，６｝とし、特徴量部分に使用可能な色値域の閾値を｛Ｔｃ，Ｔｍ，Ｔｙ，Ｔｋ｝＝｛１５，１５，１５，１５｝とし、パッチ測定回数｛Ｎｃ，Ｎｍ，Ｎｙ，Ｎｋ｝＝｛１０，１０，１０，１４｝とした場合、特徴量部分に関する各インクのパッチ総数Σｃ、Σｍ、Σｙ、Σｋは、
Σｃ＝（２Ｍｃ＋１−Ｔｃ）・Ｎｃ＝５００個
Σｍ＝（２Ｍｍ＋１−Ｔｍ）・Ｎｍ＝５００個
Σｙ＝（２Ｍｙ＋１−Ｔｙ）・Ｎｙ＝５００個
Σｋ＝（２Ｍｋ＋１−Ｔｋ）・Ｎｋ＝７００個
となる。
したがって、特徴量部分に使用可能なパッチ総数Σallは、Σall＝Σｃ＋Σｍ＋Σｙ＋Σｋ＝２２００個となる。
【００９６】
なお、文字列（主要部）インク色設定手段１１５、文字列（非主要部）インク色設定手段１１６、図形（主要部）インク色設定手段１１７及び図形（非主要部）インク色設定手段１１８の処理内容は、前述の第二実施形態と同様である。
すなわち、文字列（主要部）インク色設定手段１１５及び図形（主要部）インク色設定手段１１７が主要部に所定のインク色を設定する一方で、文字列（非主要部）インク色設定手段１１６及び図形（非主要部）インク色設定手段１１８は非主要部に対し主要部のインク色とは異なるインク色を設定する。
【００９７】
また、文字列形成部２１では、パッチ数適否判定手段２１０８が、文字列部の主要部のパッチ数と、当該主要部に設定するインク色についての使用可能な色値群の数とを比較し、その文字列の主要部にそのインク色の色値が選択可能か否かを数的に判定する。
同様に、文字列部の非主要部のパッチ数と、当該非主要部に設定するインク色についての使用可能な色値群の数とを比較し、その文字列部の非主要部にそのインク色が選択可能か否かを判定する。
そして、選択可能と判定された場合、文字列部色値選択手段２１１０は、文字列部の主要部に対し当該使用可能な色値群の中からランダムに色値を抽出して選択するとともに、非主要部に対し当該使用可能な色値群の中からランダムに色値を抽出して選択する。
【００９８】
一方、図形形成部２２では、パッチ数適否判定手段２２０７が、図形部の主要部のパッチ数と、当該主要部に設定するインク色についての使用可能な色値群の数とを比較し、その図形部の主要部にそのインク色の色値が選択可能か否かを数的に判定する。
同様に、図形部の非主要部のパッチ数と、当該非主要部に設定するインク色についての使用可能な色値群の数とを比較し、その図形部の非主要部にそのインク色が選択可能か否かを数的に判定する。
そして、選択可能と判定された場合に、図形部色値選択手段２２０９は、図形部の主要部に対し当該使用可能な色値群の中からランダムに色値を抽出して選択するとともに、非主要部に対し当該使用可能な色値群の中からランダムに色値を抽出して選択する。
【００９９】
すなわち、以上のような構成の画像処理装置１によれば、主要部に割り当てるパッチの色値と、非主要部に割り当てるパッチの色値とを、それぞれ異なるインク色に属する色値で、かつ、一定の濃度以上の色値群から生成するようにしている。
【０１００】
次に、このような構成からなる本実施形態の画像処理装置によるチャート生成方法について図面を参照しながら説明を行う。
図２２は、本実施形態に係るチャート生成方法の手順を示すフローチャートである。
同図に示すように、まず、基本構成設定部１０ｂが、テストチャート生成の前処理として、所定濃度以上の色値群の準備やチャート構成の設定を行う（Ｓ２１）。
具体的には、階調数設定手段１０１が、所望の階調数を設定し、特徴量使用可能色値群生成・記憶手段１２０が、その階調数にもとづき特徴量部分に使用可能な色値群をインク別に生成する。
特に、本実施形態の特徴量使用可能色値群生成・記憶手段１２０によれば、一定濃度以上の濃い色に限定して特徴量部分用の色値群を生成して記憶するようにしている。
また、テストチャートの構成を設定するため、単パッチのサイズ・形状、数、配列等について設定を行う。
【０１０１】
続いて、基本構成設定部１０ｂが、テストチャート上に表示させる文字列や図形の設定を行う（Ｓ２２）。
具体的には、文字列設定手段１１０や図形設定手段１１３が、文字列や図形の構成を設定し、文字列インク色設定手段１１１や図形インク色設定手段１１４が、文字列や図形に割り当てるパッチのインク色を設定する。
【０１０２】
次に、本実施形態に係る画像処理装置１は、特徴量部分のパッチ画像の形成を行う（Ｓ２３）。
具体的には、文字列（主要部）インク色設定手段１１５又は図形（主要部）インク色設定手段１１７が指定した主要部のインク色にもとづき、文字列（主要部）色値選択手段２１１３又は図形（主要部）色値選択手段２２１２が、その指定インク色に属する色値を、ステップＳ２１において準備した所定濃度以上の色値群の中からランダムに抽出し、主要部に割り当てる処理を行う。
その上で、文字列（非主要部）インク色設定手段１１６又は図形（非主要部）インク色設定手段１１８が指定した主要部に設定したインク色とは異なるインク色にもとづき、文字列（非主要部）色値選択手段２１１４又は図形（非主要部）色値選択手段２２１３が、そのインク色に属する色値を、ステップＳ２１において準備した所定濃度以上の色値群の中からランダムに抽出し、非主要部に割り当てる処理を行う。
【０１０３】
次いで、非特徴量データ形成部３０は、非特徴量部分のパッチ画像の形成を行う（Ｓ２４）。
具体的には、非特徴量色値設定手段３０５が、非特徴量部分に対し、特徴量部分に割り当てた色値以外の色値群の中からランダムに色値を抽出して対応するパッチに割り当て、非特徴量画像形成手段３０６が非特徴量部分のパッチ画像データを生成する。
【０１０４】
次に、特徴量・非特徴量データ合成部４０が、特徴量部分のパッチ画像と非特徴量部分のパッチ画像とを合成する（Ｓ２５）。
具体的には、特徴量・非特徴量データ合成部４０が、特徴量部分のパッチ画像データと非特徴量部分のパッチ画像データをそれぞれの絶対座標にもとづき組み合わせることによって２次元マトリクス上に理論上のテストチャートデータを形成する。
そして、画像処理装置１は、ステップＳ２５において合成されたテストチャートデータにもとづき実際のテストチャートを紙等のメディアに出力する（Ｓ２６）。
これにより、図２３に示すように、視認可能な情報（この場合は文字列）が付されたカラーのテストチャートを得ることができる。
なお、同図（ａ）は、文字列「ＡＢＣ−０１」に係る特徴量を、同図（ｂ）は文字列「ＤＥＦ−０２」に係る特徴量を、同図（ｃ）は、文字列「ＤＥＦ―０２」に係る特徴量を含むテストチャートを示したカラーチャート図である。
【０１０５】
以上説明したように、本発明の第三実施形態に係る画像処理装置によれば、主要部の色値と非主要部の色値とを、相互に異なるインク色に属し、かつ、一定の濃度値の色値によってテストチャートを生成するようにしている。
このため、識別性及び情報性に優れることは勿論のこと、さらに視認性に優れたテストチャートを生成することが可能となる。
【０１０６】
［第四実施形態］
次に、本発明の第四実施形態に係る画像処理装置について図２４〜図２７を参照しつつ説明する。
本実施形態に係る画像処理装置は、テストチャートの生成過程において、文字列又は図形の下地（非主要部）に割り当てるパッチのインク色を、文字列又は図形の主要部に割り当てるパッチのインク色と異なる色に設定する点においては、前述の第二実施形態と同様である。
ただし、本実施形態に係る画像処理装置は、特徴量部分、すなわち、主要部及び／又は非主要部対し紙白から所定の色差以上に該当する色値のパッチを割り当ててテストチャートを生成するようにしており、これによりテストチャート上に表示する特徴量の視認性を向上させるようにしている。
そして、このような特徴的な作用効果を得るため、本実施形態に係る画像処理装置は、基本構成設定部の特徴量色値設定手段に構成上の工夫を施している。
【０１０７】
［基本構成設定部１０ｃ］
図２４は、本実施形態に係る基本構成設定部１０ｃの構成を示したブロック図である。
同図に示すように、本実施形態の基本構成設定部１０ｃは、図１６とほぼ同じ構成であるが、特徴量色値設定手段の構成が図１６とは異なる。
すなわち、本実施形態に係る特徴量色値設定手段１００ｃは、紙白に近い色差域の設定手段１２２、入出力特性の仮計測手段１２３及び紙白との色差域計算手段１２４を備える点で第二実施形態とは異なる。
したがって、ここでは、主に特徴量色値設定手段１００ｃについての詳細な説明を行い、図１６と同様の構成部分については同一の符号を付してその説明を省略する。
【０１０８】
紙白に近い色差域の設定手段１２２は、紙白に近い色値を設定するものである。
これは、紙白に近い色値を使うと文字や図形の判別が困難になる可能性が高いため、これを回避するものである。
このため、本実施形態においては、後述する入出力特性の仮計測値にもとづき、例えば、ＣＩＥ−Ｌａｂ空間における色差計算式で定義した距離計算にて、色差ΔＥｐ＝０と設定し、Ｅｐ＜１０．０となる色差の色値は使わないようにする。
【０１０９】
入出力特性の仮計測手段１２３は、インク毎の階調数を参照しつつ、入出力特性の仮計測用の簡易チャートを出力しこれをＣＩＥ−Ｌａｂ値やＣＩＥ−ＸＹＺ値にて求める。
または、このようにして計測された既存の仮計測値を予め読み込んでおく。
図２５は、ＣＭＹＫインクのインク毎の入出力特性の計測値を示したＣＩＥ−Ｌａｂ空間図である。
同図に示すように、各インクの一次色の入出力特性をＣＩＥ−Ｌａｂ空間にプロットすると、交点部分は紙白になるため、この交点に近い部分で２つのパッチの色値を選択しても相互に判別しがたいことを理解することができる。
【０１１０】
紙白との色差域計算手段１２４は、入出力特性の仮計測によって得た色度値と、紙白の色度値との色差を計算するものである。
例えば、計測値をＣＩＥ−Ｌａｂ値に換算した後、色空間的な距離を求めてこれを色差ΔＥｐとするものであり、具体的には、次式によって色差ΔＥｐを求めることができる。
ΔＥｐ＝（｛（Ｌ［ｉ］−Ｌｐ）２＋（Ａ［ｉ］−Ａｐ）２＋（Ｂ［ｉ］−Ｂｐ）２｝）０．５
（ただし、Ｌ［ｉ］、Ａ［ｉ］、Ｂ［ｉ］はＬａｂ色空間上の任意の点におけるＬ値、ｂ値、ｃ値を示し、Ｌｐ、Ａｐ、ＢｐはＬａｂ色空間上の紙白におけるＬ値、ａ値、ｂ値を示す。）
【０１１１】
なお、特徴量色値域設定手段１１９は、紙白との色差域の計算結果と、紙白に近い色差域の設定値と、にもとづいて特徴量部分に使用可能な色値の値域を設定する。
例えば、インク色ごとの階調数を｛Ｓｃ，Ｓｍ，Ｓｙ，Ｓｋ｝＝｛６５，６５，６５，６５｝とした場合に、紙白に近い色差域の設定値が｛Ｔｃ，Ｔｍ，Ｔｙ，Ｔｋ｝＝｛８，５，７，３｝と設定されているときには、特徴量部分に使用可能な色値を紙白から昇順に並べたときのＣｙａｎ用色値群の先頭の８個を使用せず、Ｍａｇｅｎｔａ用色値群の先頭の５個を使用せず、Ｙｅｌｌｏｗ用色値群の先頭の７個を使用せず、Ｂｌａｃｋ用色値群の先頭の３個を使用せず、それぞれ残りのＣｙａｎ用５７個、Ｍａｇｅｎｔａ用６０個、Ｙｅｌｌｏｗ用５８個、Ｂｌａｃｋ用６２個の色値群を使用するようにする。
すなわち、特徴量部分に使用可能な色値域は、Ｃｙａｎに関しては、昇順に並べたときの（Ｔｃ＋１）番目以降から最終値まで、Ｍａｇｅｎｔａに関しては、昇順に並べたときの（Ｔｍ＋１）番目以降から最終地まで、Ｙｅｌｌｏｗに関しては、昇順に並べたときの（Ｔｙ＋１）番目以降から最終値まで、Ｂｌａｃｋに関しては、昇順に並べたときの（Ｔｋ＋１）番目以降から最終値まで、と設定される。
【０１１２】
また、特徴量使用可能色値群生成・記憶手段１２０は、特徴量部分に関するインク色ごとの使用可能な色値群を生成し、所定の記憶媒体に記憶する。
例えば、インク色ごとの階調数｛Ｓｃ，Ｓｍ，Ｓｙ，Ｓｋ｝＝｛６５，６５，６５，６５｝、紙白に近い色差域の設定値｛Ｔｃ，Ｔｍ，Ｔｙ，Ｔｋ｝＝｛８，５，７，３｝と設定されている場合において、各色値が紙白から昇順に並べられているとすると、Ｃｙａｎに関しては紙白の色値から８個までを除く５７個、Ｍａｇｅｎｔａに関しては紙白の色値から５個を除く６０個、Ｙｅｌｌｏｗに関しては紙白の色値から７個を除く５８個、Ｂｌａｃｋに関しては紙白の色値から３個までを除く６２個の色値群がそれぞれ使用可能な色値群として生成され、記憶される。
【０１１３】
そして、特徴量使用可能パッチ総数計数・記憶手段１２１は、特徴量部分に使用可能な色値群にもとづき、特徴量部分に使用可能なパッチ数を求め、所定の記憶媒体に記憶するものである。
例えば、インク色ごとの階調係数｛Ｍｃ，Ｍｍ，Ｍｙ，Ｍｋ｝＝｛６，６，６，６｝、特徴量部分に使用可能な色値域の閾値を｛Ｔｃ，Ｔｍ，Ｔｙ，Ｔｋ｝＝｛１５，１５，１５，１５｝、｛Ｎｃ，Ｎｍ，Ｎｙ，Ｎｋ｝＝｛１０，１０，１０，１４｝とした場合、特徴量部分に関する各インクのパッチ総数Σｃ、Σｍ、Σｙ、Σｋは、
Σｃ＝（２Ｍｃ＋１−Ｔｃ）・Ｎｃ＝５００個
Σｍ＝（２Ｍｍ＋１−Ｔｍ）・Ｎｍ＝５００個
Σｙ＝（２Ｍｙ＋１−Ｔｙ）・Ｎｙ＝５００個
Σｋ＝（２Ｍｋ＋１−Ｔｋ）・Ｎｋ＝７００個
となる。
したがって、特徴量部分に使用可能なパッチ総数Σallは、Σall＝Σｃ＋Σｍ＋Σｙ＋Σｋ＝２２００個となる。
【０１１４】
なお、文字列（主要部）インク色設定手段１１５、文字列（非主要部）インク色設定手段１１６、図形（主要部）インク色設定手段１１７及び図形（非主要部）インク色設定手段１１８の処理内容は、前述の第二実施形態と同様である。
すなわち、文字列（主要部）インク色設定手段１１５及び図形（主要部）インク色設定手段１１７が主要部に所定のインク色を設定する一方で、文字列（非主要部）インク色設定手段１１６及び図形（非主要部）インク色設定手段１１８は非主要部に対し主要部のインク色とは異なるインク色を設定する。
【０１１５】
また、文字列形成部２１では、パッチ数適否判定手段２１０８が、文字列部の主要部のパッチ数と、当該主要部に設定するインク色についての使用可能な色値群の数とを比較し、その文字列の主要部にそのインク色の色値が選択可能か否かを数的に判定する。
同様に、文字列部の非主要部のパッチ数と、当該非主要部に設定するインク色についての使用可能な色値群の数とを比較し、その文字列部の非主要部にそのインク色が選択可能か否かを判定する。
そして、選択可能と判定された場合、文字列部色値選択手段２１１０は、文字列部の主要部に対し当該使用可能な色値群の中からランダムに色値を抽出して選択するとともに、非主要部に対し当該使用可能な色値群の中からランダムに色値を抽出して選択する。
【０１１６】
一方、図形形成部２２では、パッチ数適否判定手段２２０７が、図形部の主要部のパッチ数と、当該主要部に設定するインク色についての使用可能な色値群の数とを比較し、その図形部の主要部にそのインク色の色値が選択可能か否かを数的に判定する。
同様に、図形部の非主要部のパッチ数と、当該非主要部に設定するインク色についての使用可能な色値群の数とを比較し、その図形部の非主要部にそのインク色が選択可能か否かを数的に判定する。
そして、選択可能と判定された場合に、図形部色値選択手段２２０９は、図形部の主要部に対し当該使用可能な色値群の中からランダムに色値を抽出して選択するとともに、非主要部に対し当該使用可能な色値群の中からランダムに色値を抽出して選択する。
【０１１７】
すなわち、以上のような構成の画像処理装置１によれば、主要部に割り当てるパッチの色値と、非主要部に割り当てるパッチの色値とを、それぞれ異なるインク色に属する色値で、かつ、紙白から所定の色差以上離れた色値によって生成するようにしている。
【０１１８】
次に、このような構成からなる本実施形態の画像処理装置によるチャート生成方法について図面を参照しながら説明を行う。
図２６は、本実施形態に係るチャート生成方法の手順を示すフローチャートである。
同図に示すように、まず、基本構成設定部１０ｃが、テストチャート生成の前処理として、紙白と所定色差以上の色値群の準備やチャート構成の設定を行う（Ｓ３１）。
具体的には、階調数設定手段１０１が、所望の階調数を設定し、特徴量使用可能色値群生成・記憶手段１２０が、その階調数にもとづき特徴量部分に使用可能な色値群をインク別に生成する。
特に、本実施形態の特徴量使用可能色値群生成・記憶手段１２０によれば、紙白から所定色差以上の色値に限定して特徴量部分用の色値群を生成して記憶するようにしている。
また、テストチャートの構成を設定するため、単パッチのサイズ・形状、数、配列等について設定を行う。
【０１１９】
続いて、基本構成設定部１０ｃが、テストチャート上に表示させる文字列や図形の設定を行う（Ｓ３２）。
具体的には、文字列設定手段１１０や図形設定手段１１３が、文字列や図形の構成を設定し、文字列インク色設定手段１１１や図形インク色設定手段１１４が、文字列や図形に割り当てるパッチのインク色を設定する。
【０１２０】
次に、本実施形態に係る画像処理装置１は、特徴量部分のパッチ画像の形成を行う（Ｓ３３）。
具体的には、文字列（主要部）インク色設定手段１１５又は図形（主要部）インク色設定手段１１７が指定した主要部のインク色にもとづき、文字列（主要部）色値選択手段２１１３又は図形（主要部）色値選択手段２２１２が、その指定インク色に属する色値を、ステップＳ３１において準備した「紙白から所定色差以上の色値群」の中からランダムに抽出し、主要部に割り当てる処理を行う。
その上で、文字列（非主要部）インク色設定手段１１６又は図形（非主要部）インク色設定手段１１８が指定した主要部のインク色とは異なるインク色にもとづき、文字列（非主要部）色値選択手段２１１４又は図形（非主要部）色値選択手段２２１３が、そのインク色に属する色値を、ステップＳ３１において準備した「紙白から所定色差以上の色値群」の中からランダムに抽出し、非主要部に割り当てる処理を行う。
【０１２１】
次いで、非特徴量データ形成部３０は、非特徴量部分のパッチ画像の形成を行う（Ｓ３４）。
具体的には、非特徴量色値設定手段３０５が、非特徴量部分に対し、特徴量部分に割り当てた色値以外の色値群の中からランダムに色値を抽出して対応するパッチに割り当て、非特徴量画像形成手段３０６が非特徴量部分のパッチ画像データを生成する。
【０１２２】
次に、特徴量・非特徴量データ合成部４０が、特徴量部分のパッチ画像と非特徴量部分のパッチ画像とを合成する（Ｓ３５）。
具体的には、特徴量・非特徴量データ合成部４０が、特徴量部分のパッチ画像データと非特徴量部分のパッチ画像データをそれぞれの絶対座標にもとづき組み合わせることによって２次元マトリクス上に理論上のテストチャートデータを形成する。
そして、画像処理装置１は、ステップＳ３５において合成されたテストチャートデータにもとづき実際のテストチャートを紙等のメディアに出力する（Ｓ３６）。
これにより、図２７に示すように、視認可能な情報（この場合は文字列）が付されたカラーのテストチャートを得ることができる。
図２７（上図）は、文字列「ＡＢＣ−１２」に係る特徴量を含むテストチャートを示したカラーチャート図である。
（なお、テストチャートはカラー画像であるため、実際には図２７の下図のようなイメージで、文字列「ＡＢＣ−１２」を明確に認識することができる。）
【０１２３】
以上説明したように、本発明の第四実施形態に係る画像処理装置によれば、主要部の色値と非主要部の色値とを、相互に異なるインク色に属し、かつ、紙白から所定色差の色値によってテストチャートを生成するようにしている。
このため、識別性及び情報性に優れることは勿論のこと、さらに視認性に優れたテストチャートを生成することが可能となる。
【０１２４】
［第五実施形態］
次に、本発明の第五実施形態に係る画像処理装置について図２８〜図３０を参照しつつ説明する。
本実施形態に係る画像処理装置は、テストチャートの生成過程において、文字列又は図形の下地（非主要部）に割り当てるパッチのインク色を、文字列又は図形の主要部に割り当てるパッチのインク色と異なる色に設定する点においては、前述の第二実施形態と同様である。
ただし、本実施形態に係る画像処理装置は、色値的又は明度的に分割した３群以上の色値群のなかから連続しない２群を選び、それぞれの色値群に属する色値を主要部のパッチと非主要部のパッチとに分けて設定したうえでテストチャートを生成するようにしており、これによりテストチャート上に表示する特徴量の視認性を向上させるようにしている。
そして、このような特徴的な作用効果を得るため、本実施形態に係る画像処理装置は、基本構成設定部の特徴量色値設定手段に構成上の工夫を施している。
【０１２５】
［基本構成設定部１０ｄ］
図２８は、本実施形態に係る基本構成設定部１０ｄの構成を示したブロック図である。
同図に示すように、本実施形態の基本構成設定部１０ｄは、図１６とほぼ同じ構成であるが、特徴量色値設定手段の構成が異なる。
すなわち、本実施形態に係る特徴量色値設定手段１００ｄは、判読性確保用色差値設定手段１２５、各インク色値群の分割数・分割ポイント設定手段１２６及び特徴量インク色・色値分割域設定手段１２７を備える点で第二実施形態とは異なる。
したがって、ここでは、主に特徴量色値設定手段１００ｄについての詳細な説明を行い、図１６と同様の構成及び作用についてはその詳細な説明を省略する。
【０１２６】
判読性確保用色差値設定手段１２５は、判読性を確保しうる色差値を設定するものである。
具体的には、まず、入出力特性の仮計測手段１２３によって計測された入出力特性の仮計測値をＣＩＥ−Ｌａｂ値に換算した後、色空間的な距離、すなわち、色差ΔＥを次式によって求める。
ΔＥ＝（｛（Ｌ［ｊ］−Ｌ［ｉ］）２＋（Ａ［ｊ］−Ａ［ｉ］）２＋（Ｂ［ｊ］−Ｂ［ｉ］）２｝）０．５
（ただし、Ｌ［ｉ］、Ａ［ｉ］、Ｂ［ｉ］及びＬ［ｊ］、Ａ［ｊ］、ｂ［ｊ］は、それぞれＬａｂ色空間上の任意の２点におけるＬ値、ａ値、ｂ値を示す。）
そして、例えば、ΔＥ＝１０．０と設定し、ΔＥ＜１０の色差を排除するようにする。
【０１２７】
各インク色値群の分割数・分割ポイント設定手段１２６は、インク毎に設定された階調数にもとづき、各インクの色値群の分割数を設定し、この分割数に応じた分割ポイントを設定するものである。
具体的には、「第１の分割ポイント」に相当する大凡の色度値を入出力特性の仮計測値から求め、この値から設定した判読性確保用色差値以上に離れた色値に相当する色値を入出力特性の仮計測値から逆算することによって「第２の分割ポイント」を得る。
【０１２８】
例えば、インク色ごとの階調数｛Ｓｃ，Ｓｍ，Ｓｙ，Ｓｋ｝＝｛６５，６５，６５，６５｝、各インクの色値群の分割数｛Ｒｃ，Ｒｍ，Ｒｙ，Ｒｋ｝＝｛３，３，３，３｝、「第１の分割ポイント」｛Ｔｃ［１］、Ｔｍ［１］、Ｔｙ［１］、Ｔｋ［１］｝＝｛６，５，７，１０｝と設定した場合を説明する。
この場合、Ｃｙａｎに関しては６番目の色値（ＣＭＹＫ値）＝｛６，０，０，０｝を入力したときの出力の色度値を、入出力特性の仮計測値の結果にもとづいて大凡の色度値を求め、少なくとも設定した判読性確保用色差値分離れた色値に相当する色値を「第２分割ポイント」（＝｛Ｔｃ［２］，Ｔｍ［２］，Ｔｙ［２］，Ｔｋ［２］｝）として設定する。
【０１２９】
すなわち、「第ｎ分割ポイント」は、｛Ｔｃ［ｎ−１］，Ｔｍ［ｎ−１］，Ｔｙ［ｎ−１］，Ｔｋ［ｎ−１］｝の色値が相当する色度値から必要十分に判読が可能な色差をとった色値に相当するものであれば良い。
例えば、あるインク色についての６５階調の色値を以下のように３つの濃度域の色値群に分割することができる。
第１濃度域（低濃域）：｛１，２，３，４，５，６｝
第２濃度域（中濃域）：｛７，８，９，１０｝
第３濃度域（高濃域）：｛１１、１２，・・・・・，６４，６５｝
【０１３０】
特徴量インク色・色値分割域設定手段１２７は、各インク色値群の分割数・分割ポイント設定手段１２６によって設定された各色値分割域の中から、主要部及び非主要部に割り当てる色値分割域を設定するものである。
具体的には、主要部及び非主要部に対しては、求めた色値分割域を濃度又は明度の順に並べたときに連続しない２群から選択する。
例えば、主要部には、Ｃｙａｎ・第３濃度域と設定するとともに、非主要部には、Ｍａｇｅｎｔａ・第１濃度域として設定することによって、主要部と非主要部とを判別するのに十分な色差を確保することができる。
また、特徴量部分として文字列部と図形部とがともに設けられる場合、文字及び図形並びに非主要部のそれぞれについてインク色と分割域の指定を行うことも可能である。
【０１３１】
なお、特徴量使用可能色値群生成・記憶手段１２０は、インク色別・色値分割域別に特徴量部分に使用可能な色値群を生成し、図示しない記憶媒体に記憶する。
例えば、Ｃｙａｎの階調数を６５階調とした場合に、分割ポイントをＴｃ［１］＝６、Ｔｃ［２］＝１０に設定すると、各分割域は以下のようになる。
第１濃度域（低濃域）：｛１，２，３，４，５，６｝
第２濃度域（中濃域）：｛７，８，９，１０｝
第３濃度域（高濃域）：｛１１、１２，・・・，６５｝
さらに、単パッチ当たりの繰り返し測定数ＮｃがＮｃ＝５とすると、各色値分割域のインデックスは、以下のようになる。
第１濃度域（低濃域）：｛１，１，１，１，１，２，２，２，２，２，・・・，５，５，５，５，５｝
第２濃度域（中濃域）：｛７，７，７，７，７，８，８，８，８，８，・・・，１０，１０，１０，１０，１０｝
第３濃度域（高濃域）：｛１１，１１，１１，１１，１１，１２，１２，１２，１２，１２，・・・，６５，６５，６５，６５，６５｝
したがって、Ｃｙａｎに関しては、上記各インデックスの階調に応じた色値を生成し、図示しない記憶媒体に記憶する。
なお、記憶された色値群は、文字列形成部２１又は図形形成部２２における色値選択の際に用いられる。
【０１３２】
また、特徴量使用可能パッチ総数計数・記憶手段１２１は、インク色別・色値分割域別に特徴量部分に使用可能な色値群にもとづき、特徴量部分に使用可能なパッチ数を求め、それらの総数を求める。
例えば、インク色ごとの階調係数｛Ｍｃ，Ｍｍ，Ｍｙ，Ｍｋ｝＝｛６，６，６，６｝、「第１分割ポイント」｛Ｔｃ［１］，Ｔｍ［１］，Ｔｙ［１］，Ｔｋ［１］｝＝｛６，５，７，１０｝、「第２分割ポイント」を｛Ｔｃ［２］，Ｔｍ［２］，Ｔｙ［２］，Ｔｋ［２］｝＝｛１０，９，１２，１４｝、インク色ごとのパッチ測定回数｛Ｎｃ，Ｎｍ，Ｎｙ，Ｎｋ｝＝｛１０，１０，１０，１４｝とした場合、インク色別・色値分割域別のパッチ総数Σｃ、Σｍ、Σｙ、Σｋは、
Σｃ［１］＝（Ｔｃ［１］−０）・Ｎｃ＝６０個
Σｃ［２］＝（Ｔｃ［２］−Ｔｃ［１］）・Ｎｃ＝４０個
Σｃ［３］＝（Ｔｃ［３］−Ｔｃ［２］）・Ｎｃ＝５５０個
Σｍ［１］＝（Ｔｍ［１］−０）・Ｎｍ＝５０個
Σｍ［２］＝（Ｔｍ［２］−Ｔｍ［１］）・Ｎｍ＝４０個
Σｍ［３］＝（Ｔｍ［３］−Ｔｍ［２］）・Ｎｍ＝５６０個
Σｙ［１］＝（Ｔｙ［１］−０）・Ｎｙ＝７０個
Σｙ［２］＝（Ｔｙ［２］−Ｔｙ［１］）・Ｎｙ＝５０個
Σｙ［３］＝（Ｔｙ［３］−Ｔｙ［２］）・Ｎｙ＝５３０個
Σｋ［１］＝（Ｔｋ［１］−０）・Ｎｋ＝１００個
Σｋ［２］＝（Ｔｋ［２］−Ｔｋ［１］）・Ｎｋ＝４０個
Σｋ［３］＝（Ｔｋ［３］−Ｔｋ［２］）・Ｎｋ＝５１０個
となる。
なお、求めたパッチ数は、文字列形成部２１又は図形形成部２２におけるパッチ数適否の判断等に用いられる。
【０１３３】
なお、文字列（主要部）インク色設定手段１１５、文字列（非主要部）インク色設定手段１１６、図形（主要部）インク色設定手段１１７及び図形（非主要部）インク色設定手段１１８の処理内容は、前述の第二実施形態と同様である。
すなわち、文字列（主要部）インク色設定手段１１５及び図形（主要部）インク色設定手段１１７が主要部に所定のインク色を設定する一方で、文字列（非主要部）インク色設定手段１１６及び図形（非主要部）インク色設定手段１１８は非主要部に対し主要部のインク色とは異なるインク色を設定する。
【０１３４】
また、文字列形成部２１では、パッチ数適否判定手段２１０８が、文字列部の主要部のパッチ数と、当該主要部に設定するインク色についての使用可能な色値群の数とを比較し、その文字列の主要部にそのインク色の色値が選択可能か否かを数的に判定する。
同様に、文字列部の非主要部のパッチ数と、当該非主要部に設定するインク色についての使用可能な色値群の数とを比較し、その文字列部の非主要部にそのインク色が選択可能か否かを判定する。
そして、選択可能と判定された場合、文字列部色値選択手段２１１０は、文字列部の主要部に対し指定されたインク色の一の色値分割域に属する色値群の中からランダムに色値を抽出して選択するとともに、非主要部に対し前記インク色とは異なるインク色に属する色値群であって前記一の色値分割域と濃度的又は明度的に連続しない他の色値域分割域に属する色値群の中からランダムに色値を抽出して選択する。
【０１３５】
一方、図形形成部２２では、パッチ数適否判定手段２２０７が、図形部の主要部のパッチ数と、当該主要部に設定するインク色についての使用可能な色値群の数とを比較し、その図形部の主要部にそのインク色の色値が選択可能か否かを数的に判定する。
同様に、図形部の非主要部のパッチ数と、当該非主要部に設定するインク色についての使用可能な色値群の数とを比較し、その図形部の非主要部にそのインク色が選択可能か否かを数的に判定する。
そして、選択可能と判定された場合に、図形部色値選択手段２２０９は、図形部の主要部に対し指定されたインク色の一の色値分割域に属する色値群の中からランダムに色値を抽出して選択するとともに、非主要部に対し前記インク色とは異なるインク色に属する色値群であって前記一の色値分割域と濃度的又は明度的に連続しない他の色値域分割域に属する色値群の中からランダムに色値を抽出して選択する。
【０１３６】
すなわち、以上のような構成の画像処理装置によれば、主要部に割り当てるパッチの色値と、非主要部に割り当てるパッチの色値とを、それぞれ異なるインク色に属する色値で、かつ、濃度的又は明度的に分割した３群以上の色値群のなかから連続しない２群を選び、それぞれの色値群に属する色値を主要部のパッチと非主要部のパッチとに分けて設定したうえでテストチャートを生成するようにしている。
【０１３７】
次に、このような構成からなる本実施形態の画像処理装置によるチャート生成方法について図面を参照しながら説明を行う。
図２９は、本実施形態に係るチャート生成方法の手順を示すフローチャートである。
同図に示すように、まず、基本構成設定部１０ｄが、テストチャート生成の前処理として、濃度又は明度に基づく３以上の色値群を準備し、また、チャート構成の設定を行う（Ｓ４１）。
具体的には、階調数設定手段１０１が、所望の階調数を設定し、特徴量使用可能色値群生成・記憶手段１２０が、その階調数にもとづき特徴量部分に使用可能な色値群をインク別に生成して記憶する。
特に、本実施形態の特徴量使用可能色値群生成・記憶手段１２０によれば、濃度又は明度の順に並べた色値を分割して３以上の色値分割域を設け、各色値分割域ごとに色値群を生成するようにしている。
また、テストチャートの構成を設定するため、単パッチのサイズ・形状、数、配列等について設定を行う。
【０１３８】
続いて、基本構成設定部１０ｄが、テストチャート上に表示させる文字列や図形の設定を行う（Ｓ４２）。
具体的には、文字列設定手段１１０や図形設定手段１１３が、文字列や図形の構成を設定し、文字列インク色設定手段１１１や図形インク色設定手段１１４が、文字列や図形に割り当てるパッチのインク色を設定する。
【０１３９】
次に、本実施形態に係る画像処理装置１は、特徴量部分のパッチ画像の形成を行う（Ｓ４３）。
具体的には、文字列（主要部）インク色設定手段１１５又は図形（主要部）インク色設定手段１１７が指定した主要部のインク色にもとづき、文字列（主要部）色値選択手段２１１３又は図形（主要部）色値選択手段２２１２が、その指定インク色に属する色値であって、ステップＳ４１において準備した「濃度又は明度にもとづく３以上の色値群」の中から連続しない２つの色値群うちの１群の中からランダムに抽出し、主要部に割り当てる処理を行う。
その上で、文字列（非主要部）インク色設定手段１１６又は図形（非主要部）インク色設定手段１１８が指定した主要部のインク色とは異なるインク色にもとづき、文字列（非主要部）色値選択手段２１１４又は図形（非主要部）色値選択手段２２１３が、そのインク色に属する色値であって、ステップＳ４１において準備した「濃度又は明度にもとづく３以上の色値群」の中から連続しない２つの色値群のうちの他の１群の中からランダムに抽出し、非主要部に割り当てる処理を行う。
【０１４０】
次いで、非特徴量データ形成部３０は、非特徴量部分のパッチ画像の形成を行う（Ｓ４４）。
具体的には、非特徴量色値設定手段３０５が、非特徴量部分に対し、特徴量部分に割り当てた色値以外の色値群の中からランダムに色値を抽出して対応するパッチに割り当て、非特徴量画像形成手段３０６が非特徴量部分のパッチ画像データを生成する。
【０１４１】
次に、特徴量・非特徴量データ合成部４０が、特徴量部分のパッチ画像と非特徴量部分のパッチ画像とを合成する（Ｓ４５）。
具体的には、特徴量・非特徴量データ合成部４０が、特徴量部分のパッチ画像データと非特徴量部分のパッチ画像データをそれぞれの絶対座標にもとづき組み合わせることによって２次元マトリクス上に理論上のテストチャートデータを形成する。
そして、画像処理装置１は、ステップＳ４５において合成されたテストチャートデータにもとづき実際のテストチャートを紙等のメディアに出力する（Ｓ４６）。
これにより、図３０に示すように、視認可能な情報（この場合は文字列）が付されたカラーのテストチャートを得ることができる。
なお、同図（ａ）は、文字列「ＤＥＦ−３４」に係る特徴量を、同図（ｂ）は、文字列「ＧＨＩ−５６」に係る特徴量を含むテストチャートを示したカラーチャート図である。
【０１４２】
以上説明したように、本発明の第五実施形態に係る画像処理装置１によれば、主要部の色値及び非主要部の色値を、相互に異なるインク色に属する色値であって、色値的又は明度的に連続しない２群の色値分割域に属する色値群の色値を主要部のパッチと非主要部のパッチとにそれぞれ分けてテストチャートを生成するようにしている。
このため、識別性及び情報性に優れることは勿論のこと、さらに視認性に優れたテストチャートを生成することが可能となる。
【０１４３】
［第六実施形態］
次に、本発明の第六実施形態に係る画像処理装置について図３１〜図３３を参照しつつ説明する。
本実施形態に係る画像処理装置は、テストチャートの生成過程において、文字列又は図形の下地（非主要部）に割り当てるパッチのインク色を、文字列又は図形の主要部に割り当てるパッチのインク色と異なる色に設定する点においては、前述の第二実施形態と同様である。
また、本実施形態に係る画像処理装置は、色値的又は明度的に分割した３群以上の色値群のなかから連続しない２群を選び、それぞれの色値群に属する色値を主要部のパッチと非主要部のパッチとに分けて設定したうえでテストチャートを生成する点においては前述の第五実施形態と同様である。
さらに、本実施形態の画像処理装置は、色値的又は明度的に分割した３群以上の色値群のなかから連続しない２群を選び、それぞれの色値群に属する色値を文字単位で設定したうえでテストチャートを生成するようにしており、これによりテストチャート上に表示する特徴量の視認性をより向上させるようにしている。
そして、このような特徴的な作用効果を得るため、本実施形態に係る画像処理装置は、基本構成設定部の特徴量色値設定手段に構成上の工夫を施している。
【０１４４】
［基本構成設定部１０ｅ］
図３１は、本実施形態に係る基本構成設定部１０ｅの構成を示したブロック図である。
同図に示すように、本実施形態の基本構成設定部１０ｅは、図２８とほぼ同じ構成であるが、特徴量色値設定手段の構成が異なる。
すなわち、本実施形態に係る特徴量色値設定手段１００ｅは、特徴量インク色・色値分割域文字単位設定手段１２８を備える点で第五実施形態とは異なる。
したがって、ここでは、主に特徴量色値設定手段１００ｅについての詳細な説明を行い、図２８と同様の構成及び作用についてはその詳細な説明を省略する。
【０１４５】
特徴量インク色・色値分割域文字単位設定手段１２８は、各インク色値群の分割数・分割ポイント設定手段１２６によって設定された各色値分割域の中から各文字に割り当てる色値分割域を設定するものである。
具体的には、隣接する２文字に対し、予め求めた色値分割域を濃度又は明度の順に並べたときに連続しない２群から選択する。
例えば、第１文字に対し、Ｃｙａｎ・第３濃度域と設定するとともに、第二文字に対し、Ｍａｇｅｎｔａ・第１濃度域と設定する。
【０１４６】
また、本実施形態においては、文字単位で、主要部及び非主要部に対し、前述と同様に連続しない２群からぞれぞれ選択することもできる。
例えば、第１文字の主要部を、Ｃｙａｎ・第１濃度域、その非主要部を、Ｍａｇｅｎｔａ・第３濃度域と設定するとともに、第２文字の主要部を、Ｙｅｌｌｏｗ・第３濃度域、その非主要部をＭａｇｅｎｔａ・第１濃度域と設定することも可能である。
【０１４７】
このため、本実施形態における文字列形成部２１では、以下の処理が行われる。
まず、文字列部原点設定手段２１０３は、各文字ごとに原点を設定し、文字列部座標抽出手段２１０４は、文字単位で主要部と非主要部の座標を分離して抽出する。
例えば、図６に示す「ＡＢＣ」の各文字「Ａ」「Ｂ」「Ｃ」の二次元マトリクスにおいて、各文字の下部左端を原点とすると、各文字の主要部（すなわち「１」の部分）のパッチ座標は、「Ａ」に関しては、｛１，１｝、｛１，４｝、｛２，１｝、｛２，２｝、｛２，３｝、｛２，４｝、｛３，１｝、｛３，４｝、｛４，１｝、｛４，４｝、｛５，２｝、｛５，３｝、「Ｂ」に関しては、｛１，１｝、｛１，２｝、｛１，３｝、｛１，４｝、｛２，１｝、｛２，４｝、｛３，１｝、｛３，２｝、｛３，３｝、｛４，１｝、｛４，４｝、｛５，１｝、｛５，２｝、｛５，３｝、「Ｃ」に関しては、｛１，２｝、｛１，３｝、｛１，４｝、｛２，１｝、｛３，１｝、｛４，１｝、｛５，２｝、｛５，３｝、｛５，４｝を抽出する。
【０１４８】
また、各文字の非主要部（すなわち「０」の部分）のパッチ座標は、「Ａ」に関しては、｛１，２｝、｛１，３｝、｛３，２｝、｛３，３｝、｛４，２｝、｛４，３｝、｛５，１｝、｛５，４｝、「Ｂ」に関しては、｛２，２｝、｛２，３｝、｛３，４｝、｛４，２｝、｛４，３｝、｛５，４｝、「Ｃ」に関しては、｛１，１｝、｛２，２｝、｛２，３｝、｛２，４｝、｛３，２｝、｛３，３｝、｛３，４｝、｛４，２｝、｛４，３｝、｛４，４｝、｛５，１｝を抽出する。
【０１４９】
文字間・行間パッチ設定手段２１０２は、前述の実施形態においては、文字列単位で文字間の幅を設定していたが、本実施形態においては、文字個々に属する値として設定されることとなる。
このため、文字間・行間は、各文字の下地の一部として帰属させ、各文字の下地部分にインク色と色値分割域を設定するようにする。
すなわち、文字間と行間は、非主要部として取り扱い「０」を設定するようにする。
このようにすることで、各文字ごとに主要部と非主要部の座標を求めることができ、単文字において主要部と非主要部とを区別して異なる色値を設定することができるようになる。
【０１５０】
なお、特徴量使用可能色値群生成・記憶手段１２０は、インク色別・色値分割域別に特徴量部分に使用可能な色値群を生成し、図示しない記憶媒体に記憶する。
例えば、Ｃｙａｎの階調数を６５階調とした場合に、分割ポイントをＴｃ［１］＝６、Ｔｃ［２］＝１０に設定すると、各分割域は以下のようになる。
第１濃度域（低濃域）：｛１，２，３，４，５，６｝
第２濃度域（中濃域）：｛７，８，９，１０｝
第３濃度域（高濃域）：｛１１、１２，・・・，６５｝
さらに、単パッチ当たりの繰り返し測定数ＮｃがＮｃ＝５とすると、各色値分割域のインデックスは、以下のようになる。
第１濃度域（低濃域）：｛１，１，１，１，１，２，２，２，２，２，・・・，５，５，５，５，５｝
第２濃度域（中濃域）：｛７，７，７，７，７，８，８，８，８，８，・・・，１０，１０，１０，１０，１０｝
第３濃度域（高濃域）：｛１１，１１，１１，１１，１１，１２，１２，１２，１２，１２，・・・，６５，６５，６５，６５，６５｝
したがって、Ｃｙａｎに関しては、上記各インデックスの階調に応じた色値を生成し、図示しない記憶媒体に記憶する。
なお、記憶された色値群は、文字列形成部２１又は図形形成部２２における色値選択の際に用いられる。
【０１５１】
また、特徴量使用可能パッチ総数計数・記憶手段１２１は、インク色別・色値分割域別に特徴量部分に使用可能な色値群にもとづき、特徴量部分に使用可能なパッチ数を求め、それらの総数を求める。
例えば、インク色ごとの階調係数｛Ｍｃ，Ｍｍ，Ｍｙ，Ｍｋ｝＝｛６，６，６，６｝、「第１分割ポイント」｛Ｔｃ［１］，Ｔｍ［１］，Ｔｙ［１］，Ｔｋ［１］｝＝｛６，５，７，１０｝、「第２分割ポイント」を｛Ｔｃ［２］，Ｔｍ［２］，Ｔｙ［２］，Ｔｋ［２］｝＝｛１０，９，１２，１４｝、インク色ごとのパッチ測定回数｛Ｎｃ，Ｎｍ，Ｎｙ，Ｎｋ｝＝｛１０，１０，１０，１４｝とした場合、インク色別・色値分割域別のパッチ総数Σｃ、Σｍ、Σｙ、Σｋは、
Σｃ［１］＝（Ｔｃ［１］−０）・Ｎｃ＝６０個
Σｃ［２］＝（Ｔｃ［２］−Ｔｃ［１］）・Ｎｃ＝４０個
Σｃ［３］＝（Ｔｃ［３］−Ｔｃ［２］）・Ｎｃ＝５５０個
Σｍ［１］＝（Ｔｍ［１］−０）・Ｎｍ＝５０個
Σｍ［２］＝（Ｔｍ［２］−Ｔｍ［１］）・Ｎｍ＝４０個
Σｍ［３］＝（Ｔｍ［３］−Ｔｍ［２］）・Ｎｍ＝５６０個
Σｙ［１］＝（Ｔｙ［１］−０）・Ｎｙ＝７０個
Σｙ［２］＝（Ｔｙ［２］−Ｔｙ［１］）・Ｎｙ＝５０個
Σｙ［３］＝（Ｔｙ［３］−Ｔｙ［２］）・Ｎｙ＝５３０個
Σｋ［１］＝（Ｔｋ［１］−０）・Ｎｋ＝１００個
Σｋ［２］＝（Ｔｋ［２］−Ｔｋ［１］）・Ｎｋ＝４０個
Σｋ［３］＝（Ｔｋ［３］−Ｔｋ［２］）・Ｎｋ＝５１０個
となる。
なお、求めたパッチ数は、文字列形成部２１又は図形形成部２２におけるパッチ数適否の判断等に用いられる。
【０１５２】
なお、文字列（主要部）インク色設定手段１１５及び文字列（非主要部）インク色設定手段１１６の処理内容は、前述の第二実施形態と同様である。
すなわち、文字列（主要部）インク色設定手段１１５が、第一文字の主要部に所定のインク色を設定する一方で、第二文字の主要部にそのインク色とは異なるインク色を設定する。
また、文字列（主要部）インク色設定手段１１５が、第一文字の主要部に所定のインク色を設定する一方で、文字列（非主要部）インク色設定手段１１６が、第一文字の非主要部に対し主要部のインク色とは異なるインク色を設定する。
【０１５３】
また、文字列形成部２１では、パッチ数適否判定手段２１０８が、第一文字の主要部のパッチ数と、当該主要部に設定するインク色についての使用可能な色値群の数とを比較し、第一文字の主要部にそのインク色の色値が選択可能か否かを数的に判定する。
同様に、パッチ数適否判定手段２１０８が、第二文字の主要部のパッチ数と、当該主要部に設定するインク色についての使用可能な色値群の数とを比較し、第二文字の主要部にそのインク色の色値が選択可能か否かを数的に判定する。
そして、選択可能と判定された場合、文字列部色値選択手段２１１０は、第一文字の主要部に対し指定されたインク色の一の色値分割域に属する色値群の中からランダムに色値を抽出して選択するとともに、第二文字の主要部に対し前記インク色とは異なるインク色に属する色値群であって前記一の色値分割域と濃度的又は明度的に連続しない他の色値域分割域に属する色値群の中からランダムに色値を抽出して選択する。
【０１５４】
また、文字列形成部２１では、パッチ数適否判定手段２１０８が、第一文字の主要部のパッチ数と、当該主要部に設定するインク色についての使用可能な色値群の数とを比較し、第一文字の主要部にそのインク色の色値が選択可能か否かを数的に判定する。
同様に、パッチ数適否判定手段２１０８が、第一文字の非主要部のパッチ数と、当該非主要部に設定するインク色についての使用可能な色値群の数とを比較し、第一文字の非主要部にそのインク色の色値が選択可能か否かを数的に判定する。
そして、選択可能と判定された場合、文字列部色値選択手段２１１０は、第一文字の主要部に対し指定されたインク色の一の色値分割域に属する色値群の中からランダムに色値を抽出して選択するとともに、第一文字の非主要部に対し前記インク色とは異なるインク色に属する色値群であって前記一の色値分割域と濃度的又は明度的に連続しない他の色値域分割域に属する色値群の中からランダムに色値を抽出して選択する。
そして、それぞれの色値については、濃度又は明度の観点から形成される３以上の色値群の中から連続しない色値群の中からそれぞれ選択して設定することができる。
【０１５５】
次に、このような構成からなる本実施形態の画像処理装置によるチャート生成方法について図面を参照しながら説明を行う。
図３２は、本実施形態に係るチャート生成方法の手順を示すフローチャートである。
同図に示すように、まず、基本構成設定部１０ｅが、テストチャート生成の前処理として、濃度又は明度にもとづく３以上の色値群を準備し、また、チャート構成の設定を行う（Ｓ５１）。
具体的には、階調数設定手段１０１が、所望の階調数を設定し、特徴量使用可能色値群生成・記憶手段１２０が、その階調数にもとづき特徴量部分に使用可能な色値群をインク別に生成する。
特に、本実施形態の特徴量使用可能色値群生成・記憶手段１２０によれば、濃度又は明度の順に並べた色値を分割して３以上の色値分割域を設け、各色値分割域ごとに色値群を生成して記憶するようにしている。
また、テストチャートの構成を設定するため、単パッチのサイズ・形状、数、配列等について設定を行う。
【０１５６】
続いて、基本構成設定部１０ｅが、テストチャート上に表示させる文字列を設定する（Ｓ５２）
具体的には、文字列設定手段１１０が、文字列の構成を設定し、文字列インク色設定手段１１１が、文字列の単文字に割り当てるパッチのインク色を設定する。
【０１５７】
次に、本実施形態に係る画像処理装置１は、文字単位でパッチ画像の形成を行う（Ｓ５３）。
例えば、文字列（主要部）インク色設定手段１１５によって指定された第一文字のインク色にもとづき、文字列（主要部）色値選択手段２１１３が、その指定インク色に属する色値であって、ステップＳ５１において準備した「濃度又は明度にもとづく３以上の色値群」の中から連続しない２つの色値群うちの１群の中からランダムに抽出し、第一文字の主要部に割り当てる処理を行う。
その上で、第一文字の主要部のインク色とは異なるインク色にもとづき、文字列（非主要部）色値選択手段２１１４が、そのインク色に属する色値であって、ステップＳ５１において準備した「濃度又は明度にもとづく３以上の色値群」の中から連続しない２つの色値群のうちの他の１群の中からランダムに抽出し、第一文字の非主要部に割り当てる処理を行う。
【０１５８】
次いで、非特徴量データ形成部３０は、非特徴量部分のパッチ画像の形成を行う（Ｓ５４）。
具体的には、非特徴量色値設定手段３０５が、非特徴量部分に対し、特徴量部分に割り当てた色値以外の色値群の中からランダムに色値を抽出して対応するパッチに割り当て、非特徴量画像形成手段３０６が非特徴量部分のパッチ画像データを生成する。
【０１５９】
次に、特徴量・非特徴量データ合成部４０が、特徴量部分のパッチ画像と非特徴量部分のパッチ画像とを合成する（Ｓ５５）。
具体的には、特徴量・非特徴量データ合成部４０が、特徴量部分のパッチ画像データと非特徴量部分のパッチ画像データをそれぞれの絶対座標にもとづき組み合わせることによって２次元マトリクス上に理論上のテストチャートデータを形成する。
そして、画像処理装置１は、ステップＳ５５において合成されたテストチャートデータにもとづき実際のテストチャートを紙等のメディアに出力する（Ｓ５６）。
これにより、図３３に示すように、視認可能な情報（この場合は文字列）が付されたカラーのテストチャートを得ることができる。
なお、同図（ａ）は、文字列「ＡＢＣ−１２３」に係る特徴量を、同図（ｂ）は、文字列「ＤＥＦ−４５６」に係る特徴量を、同図（ｃ）は、文字列「ＧＨＩ−７８９」に係る特徴量を含むテストチャートを示したカラーチャート図である。
【０１６０】
以上説明したように、本発明の第五実施形態に係る画像処理装置１によれば、単文字の主要部の色値及び非主要部の色値又は隣接する文字の色値を、相互に異なるインク色に属する色値であって、色値的又は明度的に連続しない２群の色値分割域に属する色値群の色値にそれぞれ分けてテストチャートを生成するようにしている。
このため、識別性及び情報性に優れることは勿論のこと、さらに視認性に優れたテストチャートを生成することが可能となる。
【０１６１】
ここで、上記した本実施形態の画像処理装置は、プログラム（ソフトウェア）の命令によりコンピュータで実行される処理，手段，機能によって実現される。プログラムは、コンピュータの各構成要素に指令を送り、以下に示すような所定の処理・機能を行わせる。すなわち、本実施形態の画像処理装置における各処理・手段は、プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【０１６２】
以上、本発明の画像処理装置について、好ましい実施形態を示して説明したが、本発明にかかる画像処理装置は、上述した実施形態にのみ限定されるものではなく、本発明の範囲で種々の変更実施が可能であることは言うまでもない。
例えば、本実施形態に係る画像処理装置はカラー対応の画像形成装置等が想定されるが、単色系の画像処理装置に本発明を適用することも可能であり、特に、前述の第五実施形態や第六実施形態に係る画像処理装置によって生成されるチャートはモノクロであっても特徴量の判別性に優れるため有効に機能する。
【産業上の利用可能性】
【０１６３】
本発明は、カラーチャートを測定してキャリブレーションを実行する画像処理装置に好適に利用することができる。
【符号の説明】
【０１６４】
１  画像処理装置
１００  特徴量色値設定手段
１１０  文字列設定手段
１１３  図形設定手段
２１０５  文字列部絶対座標設定手段
２２０４  図形部絶対座標設定手段
３０４  非特徴量座標算出手段
３０５  非特徴量色値設定手段
４０  特徴量・非特徴量データ合成部
【図１】
2010233037.tif 000003
【図２】
2010233037.tif 000004
【図３】
2010233037.tif 000005
【図４】
2010233037.tif 000006
【図５】
2010233037.tif 000007
【図６】
2010233037.tif 000008
【図７】
2010233037.tif 000009
【図９】
2010233037.tif 000010
【図１０】
2010233037.tif 000011
【図１２】
2010233037.tif 000012
【図１４】
2010233037.tif 000013
【図１６】
2010233037.tif 000014
【図１７】
2010233037.tif 000015
【図１８】
2010233037.tif 000016
【図１９】
2010233037.tif 000017
【図２１】
2010233037.tif 000018
【図２２】
2010233037.tif 000019
【図２４】
2010233037.tif 000020
【図２６】
2010233037.tif 000021
【図２８】
2010233037.tif 000022
【図２９】
2010233037.tif 000023
【図３１】
2010233037.tif 000024
【図３２】
2010233037.tif 000025
【図８】
2010233037.tif 000026
【図１１】
2010233037.tif 000027
【図１３】
2010233037.tif 000028
【図１５】
2010233037.tif 000029
【図２０】
2010233037.tif 000030
【図２３】
2010233037.tif 000031
【図２５】
2010233037.tif 000032
【図２７】
2010233037.tif 000033
【図３０】
2010233037.tif 000034
【図３３】
2010233037.tif 000035
【図３４】
2010233037.tif 000036